(57)【要約】【課題】時間のかかる特定の認証が完了しなくても一部のアプリを使用可能にすることができる情報処理装置、情報処理システム、情報処理方法およびプログラムを提供する。【解決手段】利用者に対して複数種類の認証をそれぞれ行う複数の認証部と、操作部により特定のアプリケーションを起動するための起動操作が入力された場合、各アプリケーションに対して起動のために許可が必要な認証を割り当てた認証設定情報を参照し、特定のアプリケーションを起動するために必要な認証を特定する特定部と、特定部により特定された認証を行う認証部によってその認証が許可された場合、特定のアプリケーションを起動する起動部と、を備える。【選択図】図５
2018205958.tif 000002
【特許請求の範囲】
【請求項１】
利用者に対して複数種類の認証をそれぞれ行う複数の認証部と、
操作部により特定のアプリケーションを起動するための起動操作が入力された場合、各アプリケーションに対して起動のために許可が必要な認証を割り当てた認証設定情報を参照し、前記特定のアプリケーションを起動するために必要な認証を特定する特定部と、
前記特定部により特定された認証を行う前記認証部によって該認証が許可された場合、前記特定のアプリケーションを起動する起動部と、
を備えた情報処理装置。
【請求項２】
少なくとも前記複数の認証部は、
第１の認証を行う第１の認証部と、
前記第１の認証よりも認証処理の時間が長い第２の認証を行う第２の認証部と、
を含み、
前記認証設定情報によって、前記特定のアプリケーションを起動するために前記第２の認証は必要とせず前記第１の認証が必要であることが割り当てられている場合、前記起動部は、前記操作部により前記起動操作が入力された場合、前記第１の認証部によって前記第１の認証が許可されたときに前記特定のアプリケーションを起動する請求項１に記載の情報処理装置。
【請求項３】
無線タグから特定の情報を取得する無線通信部と、
撮像装置に前記利用者を撮像させて、該利用者を含む画像を取得する撮像部と、
をさらに備え、
前記第１の認証部は、前記無線通信部により取得された前記特定の情報に基づいて、前記無線タグに対する前記第１の認証を行い、
前記第２の認証部は、前記撮像部により取得された前記画像の特徴情報に基づいて、該画像に含まれる前記利用者に対する前記第２の認証を行う請求項２に記載の情報処理装置。
【請求項４】
前記各アプリケーションを起動するためのアイコンをそれぞれ表示部に表示させる表示制御部を、さらに備え、
前記表示制御部は、前記アイコンを、該アイコンに対応するアプリケーションに対して前記認証設定情報により割り当てられたすべての認証が許可とされた場合、第１の輝度で前記表示部に表示させ、前記すべての認証のうち少なくともいずれかの認証が許可となっていない場合、前記第１の輝度よりも低い第２の輝度で前記表示部に表示させる請求項１〜３のいずれか一項に記載の情報処理装置。
【請求項５】
前記操作部により前記起動操作が入力されたときに、前記特定のアプリケーションに対して前記認証設定情報により割り当てられた認証のうち、少なくとも一部の認証が許可とされていない場合、前記一部の認証の状態を示す情報を、表示部に表示させる表示制御部を、さらに備えた請求項１〜３のいずれか一項に記載の情報処理装置。
【請求項６】
前記表示制御部は、前記一部の認証の処理が実行中であるときに、前記操作部により前記起動操作が入力された場合、該一部の認証の処理が実行中である旨を示す情報を、前記表示部に表示させる請求項５に記載の情報処理装置。
【請求項７】
前記表示制御部は、前記一部の認証が失敗となったときに、前記操作部により前記起動操作が入力された場合、該一部の認証が失敗した旨を示す情報を、前記表示部に表示させる請求項５に記載の情報処理装置。
【請求項８】
前記表示制御部は、前記操作部により前記起動操作が入力されたときに、前記一部の認証の処理が行われていない場合、該一部の認証が行われていない旨を示す情報を、前記表示部に表示させる請求項５に記載の情報処理装置。
【請求項９】
利用者の認証を行う情報処理システムであって、
前記利用者に対して複数種類の認証をそれぞれ行う複数の認証部と、
操作部により特定のアプリケーションを起動するための起動操作が入力された場合、各アプリケーションに対して起動のために許可が必要な認証を割り当てた認証設定情報を参照し、前記特定のアプリケーションを起動するために必要な認証を特定する特定部と、
前記特定部により特定された認証を行う前記認証部によって該認証が許可された場合、前記特定のアプリケーションを起動する起動部と、
を有する情報処理システム。
【請求項１０】
利用者に対して複数種類の認証をそれぞれ行う複数の認証ステップと、
操作部により特定のアプリケーションを起動するための起動操作が入力された場合、各アプリケーションに対して起動のために許可が必要な認証を割り当てた認証設定情報を参照し、前記特定のアプリケーションを起動するために必要な認証を特定する特定ステップと、
特定した認証が許可された場合、前記特定のアプリケーションを起動する起動ステップと、
を有する情報処理方法。
【請求項１１】
コンピュータに、
利用者に対して複数種類の認証をそれぞれ行う複数の認証ステップと、
操作部により特定のアプリケーションを起動するための起動操作が入力された場合、各アプリケーションに対して起動のために許可が必要な認証を割り当てた認証設定情報を参照し、前記特定のアプリケーションを起動するために必要な認証を特定する特定ステップと、
特定した認証が許可された場合、前記特定のアプリケーションを起動する起動ステップと、
を実行させるためのプログラム。
【発明の詳細な説明】
【技術分野】
【０００１】
本発明は、情報処理装置、情報処理システム、情報処理方法およびプログラムに関する。
【背景技術】
【０００２】
近年、利用者を認証する認証方法として、パスワードの入力等の操作を不要とするＩＣカードによる無線認証、および利用者の顔画像に基づいて認証を行う顔認証等の認証技術が普及している。無線認証技術では、例えば、ＲＦＩＤ（Ｒａｄｉｏ  Ｆｒｅｑｕｅｎｃｙ  Ｉｄｅｎｔｉｆｉｃａｔｉｏｎ）のような近距離無線認証を使い、近距離無線タグ（ＲＦＩＤタグ）を貼り付けた物体、またはそのタグを首からかけた利用者を電波で検知する技術が提案されている。このような、認証技術について、単一の認証ＩＤに対して、複数種類の権限を付与する技術が開示されている（特許文献１参照）。
【発明の概要】
【発明が解決しようとする課題】
【０００３】
しかしながら、認証技術のうち利用者の顔画像に基づく画像認証は、認証処理に時間がかかり、特許文献１では、認証方法として画像認証を採用した場合、画像認証が終了するまですべての機能が利用できず利用者の待ち時間が長く、利便性に欠けるという問題点があった。
【０００４】
本発明は、上記に鑑みてなされたものであって、時間のかかる特定の認証が完了しなくても一部のアプリを使用可能にすることができる情報処理装置、情報処理システム、情報処理方法およびプログラムを提供することを目的とする。
【課題を解決するための手段】
【０００５】
上述した課題を解決し、目的を達成するために、本発明は、利用者に対して複数種類の認証をそれぞれ行う複数の認証部と、操作部により特定のアプリケーションを起動するための起動操作が入力された場合、各アプリケーションに対して起動のために許可が必要な認証を割り当てた認証設定情報を参照し、前記特定のアプリケーションを起動するために必要な認証を特定する特定部と、前記特定部により特定された認証を行う前記認証部によって該認証が許可された場合、前記特定のアプリケーションを起動する起動部と、を備えたことを特徴とする。
【発明の効果】
【０００６】
本発明によれば、時間のかかる特定の認証が完了しなくても一部のアプリを使用可能にすることができる。
【図面の簡単な説明】
【０００７】
【図１】図１は、実施形態に係る情報処理システムの構成の一例を示す図である。
【図２】図２は、ＲＦＩＤタグリーダの検知範囲および人体検知センサの検知範囲の一例を示す図である。
【図３】図３は、実施形態に係る画像形成装置のハードウェア構成の一例を示す図である。
【図４】図４は、実施形態に係る画像形成装置のソフトウェア構成の一例を示す図である。
【図５】図５は、実施形態に係る画像形成装置の機能ブロックの構成の一例を示す図である。
【図６】図６は、実施形態に係る利用者情報の一例を示す図である。
【図７】図７は、実施形態に係る利用者情報の別の一例を示す図である。
【図８】図８は、実施形態に係る認証設定情報の一例を示す図である。
【図９】図９は、実施形態に係る画像形成装置に表示されるホーム画面の一例を示す図である。
【図１０】図１０は、実施形態に係る画像形成装置に表示されるホーム画面の一例を示す図である。
【図１１】図１１は、実施形態に係る画像形成装置の無線認証処理の一例を示すフローチャートである。
【図１２】図１２は、実施形態に係る画像形成装置の画像認証処理の一例を示すフローチャートである。
【図１３】図１３は、画像認証の一例について説明するための図である。
【図１４】図１４は、実施形態に係る画像形成装置の認証処理の一例を示すフローチャートである。
【図１５】図１５は、画像認証処理の実施中を示すエラー画面の表示処理の一例を示すシーケンス図である。
【図１６】図１６は、画像認証処理の実施中を示すエラー画面の一例を示す図である。
【図１７】図１７は、画像認証失敗を示すエラー画面の表示処理の一例を示すシーケンス図である。
【図１８】図１８は、画像認証失敗を示すエラー画面の一例を示す図である。
【図１９】図１９は、画像認証を促すエラー画面の表示処理の一例を示すシーケンス図である。
【図２０】図２０は、画像認証を促すエラー画面の一例を示す図である。
【発明を実施するための形態】
【０００８】
以下に、図面を参照しながら、本発明に係る情報処理装置、情報処理システム、情報処理方法およびプログラムの実施形態を詳細に説明する。また、以下の実施形態によって本発明が限定されるものではなく、以下の実施形態における構成要素には、当業者が容易に想到できるもの、実質的に同一のもの、およびいわゆる均等の範囲のものが含まれる。さらに、以下の実施形態の要旨を逸脱しない範囲で構成要素の種々の省略、置換、変更および組み合わせを行うことができる。
【０００９】
（情報処理システムの構成）
図１は、実施形態に係る情報処理システムの構成の一例を示す図である。図１を参照しながら、本実施形態に係る情報処理システム１００の構成について説明する。
【００１０】
図１に示すように、情報処理システム１００は、画像形成装置１０１と、利用者１０６が所持するＲＦＩＤタグ１０５と、を含む。
【００１１】
画像形成装置１０１は、例えば、ＭＦＰ（Ｍｕｌｔｉｆｕｎｃｔｉｏｎ  Ｐｅｒｉｐｈｅｒａｌ）、複写機、プリンタ、ファクス装置、またはスキャナ装置等の画像形成装置であり、本発明の「情報処理装置」の一例である。ここで、ＭＦＰとは、コピー機能、プリンタ機能、スキャナ機能、およびファクス機能のうち少なくとも２つの機能を有する複合機である。画像形成装置１０１は、画像を撮像するカメラ１０２と、所定の範囲（例えば、後述する図２に示す無線検知範囲２０２）内にあるＲＦＩＤタグ１０５（無線タグの一例）から無線タグＩＤ等の特定の情報を受信するＲＦＩＤタグリーダ１０３と、利用者等を検知する人体検知センサ１０４と、を備えている。ここで、ＲＦＩＤとは、無線タグＩＤ等の特定の情報を記憶したＲＦＩＤタグ１０５と、ＲＦＩＤタグリーダ１０３との間で、電磁波または電波等を用いた近距離無線通信を行う技術であり、近距離無線通信の一例である。
【００１２】
カメラ１０２は、例えば、撮像した画像に、画像形成装置１０１を利用する利用者１０６が含まれるように設置された撮像装置である。
【００１３】
ＲＦＩＤタグリーダ１０３は、例えば、ＲＦＩＤタグ１０５がパッシブタグである場合、後述する所定の検知範囲（無線検知範囲２０２）に電波を放射して、ＲＦＩＤタグ１０５から特定の情報を受信する装置である。また、ＲＦＩＤタグ１０５は、ＲＦＩＤタグリーダ１０３から放射された電波を受信すると、受信した電波を電力として動作し、予め記憶した無線タグＩＤ等の特定の情報をＲＦＩＤタグリーダ１０３に送信する。ＲＦＩＤタグリーダ１０３は、例えば、使用周波数が９２０［ＭＨｚ］帯、送信出力が２５０［ｍＷ］以下の特定小電力規格のもの等が採用できる。なお、検知範囲内に複数のＲＦＩＤタグ１０５が存在する場合、ＲＦＩＤタグリーダ１０３は、それぞれのＲＦＩＤタグ１０５から無線タグＩＤ等の特定の情報を受信することが可能である。
【００１４】
ここで、パッシブタグとは、ＲＦＩＤタグリーダからの電波をエネルギー源として動作するＲＦＩＤ用のタグであり、電池を内蔵する必要がない。パッシブタグのアンテナは、ＲＦＩＤタグリーダからの電波の一部を反射し、無線タグＩＤ等の情報をこの反射波に乗せて返す。この反射の強度は非常に小さいため、パッシブタグは、自装置の電力で電波を送信するアクティブタグに比べて通信距離が短くなるが、安価で、ほぼ恒久的に動作する。
【００１５】
人体検知センサ１０４は、利用者１０６等の人体を検知する焦電センサ等である。
【００１６】
図２は、ＲＦＩＤタグリーダの検知範囲および人体検知センサの検知範囲の一例を示す図である。図２を参照しながら、ＲＦＩＤタグリーダ１０３の検知範囲および人体検知センサ１０４の検知範囲等について説明する。
【００１７】
図２では、画像形成装置１０１の上面から見たときの、人体検知センサ１０４のセンサ検知範囲２０１、ＲＦＩＤタグリーダ１０３の無線検知範囲２０２、およびカメラ１０２の画像認証範囲２０３が示されている。
【００１８】
図２の例では、画像形成装置１０１の正面側（図２の下側）に人体検知センサ１０４が設置されており、画像形成装置１０１の前面（図２の下方向）に、扇形のセンサ検知範囲２０１が形成されている。人体検知センサ１０４のセンサ検知範囲２０１は、画像形成装置１０１から、例えば２［ｍ］程度の範囲をターゲットとしており、このセンサ検知範囲２０１内に人（利用者１０６等）が入ると、人体検知センサ１０４により人の存在が検知され、カメラ１０２およびＲＦＩＤタグリーダ１０３の動作が開始される。
【００１９】
また、画像形成装置１０１は、内部に、例えば、パッチアンテナ等のＲＦＩＤタグリーダ１０３を有しており、画像形成装置１０１の前面（図２の下方向）に、扇型の無線検知範囲２０２が形成されている。ＲＦＩＤタグリーダ１０３の無線検知範囲２０２は、画像形成装置１０１から、例えば２［ｍ］程度の検知性能を有するものとしても、ＲＦＩＤタグ１０５と利用者１０６とが近接することによる通信機能の劣化により、実際には１［ｍ］程度の検知範囲となる。この無線検知範囲２０２は、ＲＦＩＤタグ１０５から所定の情報（例えば、無線タグＩＤ）を受信するために、ＲＦＩＤタグリーダ１０３により電波が放射されることによって形成される。そして、ＲＦＩＤタグ１０５を持った利用者１０６が、無線検知範囲２０２に入ると、ＲＦＩＤタグ１０５に記憶された特定の情報が、自動的に画像形成装置１０１に送信される。
【００２０】
また、図２では、カメラ１０２によって撮像された撮像画像から顔認証が可能となる撮像範囲である画像認証範囲２０３が示されている。
【００２１】
本実施形態では、画像形成装置１０１は、後述するように予め登録された利用者を示す情報を記憶しており、ＲＦＩＤタグ１０５から受信した無線タグＩＤと、画像形成装置１０１の記憶部に予め登録された利用者を示す情報とに基づいて、ＲＦＩＤタグ１０５の認証（以下、「無線認証」という場合がある）を行う。また、画像形成装置１０１は、例えば、カメラ１０２が撮像した画像に含まれる利用者１０６の顔画像と、後述する画像形成装置１０１の記憶部に予め登録された利用者の顔の特徴情報とに基づいて、画像に撮像された利用者１０６の認証（以下、「画像認証」という場合がある）を行う。さらに、画像形成装置１０１は、無線認証および画像認証が許可された場合、無線認証が許可されたＲＦＩＤタグ１０５に対応する利用者を示す情報と、画像認証が許可された利用者を示す情報とに基づいて、利用者１０６の画像形成装置１０１の使用を許可するログイン認証（以下、「装置認証」という場合がある）を行う。例えば、画像形成装置１０１は、無線認証が許可されたＲＦＩＤタグ１０５の利用者と、画像認証が許可された利用者とが同じ利用者である場合、利用者の画像形成装置１０１へのログインを許可（使用を許可）する。
【００２２】
このように、画像形成装置１０１は、ＲＦＩＤタグ１０５を用いた無線認証と、カメラ１０２により撮像された顔画像による画像認証との両方の認証が許可され、かつ、無線認証が許可されたＲＦＩＤタグ１０５の利用者と、画像認証が許可された利用者とが同じ利用者である場合、利用者のログインを許可（使用を許可）する。これによって、本実施形態に係る画像形成装置１０１によれば、画像形成装置１０１の利用者１０６は、ＲＦＩＤタグ１０５を所持しているだけで、画像認証等の撮像された画像による認証方法の認証の精度を向上させることができるようになる。
【００２３】
なお、図１のシステム構成はあくまで一例である。例えば、図１では、情報処理装置の一例として画像形成装置１０１を示したが、これに限定されるものではなく、情報処理装置は、画像形成装置１０１と同様の利用者に対する認証機能を有するＰＣ（Ｐｅｒｓｏｎａｌ  Ｃｏｍｐｕｔｅｒ）、タブレット端末、スマートフォン、ゲーム機、またはテレビ会議装置等であってもよい。
【００２４】
また、カメラ１０２、ＲＦＩＤタグリーダ１０３または人体検知センサ１０４等は、外部に外付けされているものであってもよい。
【００２５】
また、ＲＦＩＤタグ１０５は、ＲＦＩＤのアクティブタグまたはセミアクティブタグ等であってもよい。また、ＲＦＩＤタグ１０５は、無線タグの一例である。無線タグは、ＲＦＩＤとは異なる近距離無線方式（例えば、Ｂｌｕｅｔｏｏｔｈ（登録商標）  Ｌｏｗ  Ｅｎｅｒｇｙ（以下、「ＢＬＥ」という）、またはＮＦＣ（Ｎｅａｒ  Ｆｉｅｌｄ  Ｃｏｍｍｕｎｉｃａｔｉｏｎ）等）で通信を行う無線端末であってもよい。また、無線タグに代えて、無線タグ等を搭載した携帯端末等を用いるのものであってもよい。
【００２６】
また、画像認証は、利用者を撮像した画像を用いるものであるが、これに限定されるものではなく、利用者の生体の特徴を示す特徴情報を用いて利用者の認証を行う様々な認証方法（例えば、指紋認証、虹彩認証または静脈認証等）であってもよい。
【００２７】
（画像形成装置のハードウェア構成）
図３は、実施形態に係る画像形成装置のハードウェア構成の一例を示す図である。図３を参照しながら、本実施形態に係る画像形成装置１０１のハードウェア構成について説明する。
【００２８】
図３に示すように、画像形成装置１０１は、例えば、コピー機能、スキャナ機能、ファクス機能、およびプリンタ機能等の各種の画像形成機能を実現する本体３１０と、ユーザの操作を受け付ける操作部３３０と、を備える。ここで、ユーザの操作を受け付けるとは、ユーザの操作に応じて入力される情報（画面の座標値を示す信号等を含む）を受け付けることを含む概念である。
【００２９】
本体３１０および操作部３３０は、専用の通信路３５０を介して、相互に通信可能に接続されている。通信路３５０は、例えば、ＵＳＢ（Ｕｎｉｖｅｒｓａｌ  Ｓｅｒｉａｌ  Ｂｕｓ）規格のものを用いることができるが、これに限定されるものではなく、有線か無線かを問わず任意の規格のものであってよい。本体３１０は、操作部３３０で受け付けた操作に応じた動作を行う。また、本体３１０は、クライアントＰＣ等の外部装置とも通信可能であり、外部装置から受信した指示に応じた動作を行うこともできる。
【００３０】
＜本体のハードウェア構成＞
図３に示すように、本体３１０は、ＣＰＵ（Ｃｅｎｔｒａｌ  Ｐｒｏｃｅｓｓｉｎｇ  Ｕｎｉｔ）３１１と、ＲＯＭ（Ｒｅａｄ  Ｏｎｌｙ  Ｍｅｍｏｒｙ）３１２と、ＲＡＭ（Ｒａｎｄｏｍ  Ａｃｃｅｓｓ  Ｍｅｍｏｒｙ）３１３と、ストレージ３１４と、通信Ｉ／Ｆ（Ｉｎｔｅｒｆａｃｅ）３１５と、接続Ｉ／Ｆ３１６と、エンジン部３１７と、人体検知センサ３１８と、システムバス３１９と、を有する。
【００３１】
ＣＰＵ３１１は、本体３１０の動作を統括的に制御する。ＣＰＵ３１１は、ＲＡＭ３１３をワークエリア（作業領域）としてＲＯＭ３１２またはストレージ３１４等に格納されたプログラムを実行することにより、本体３１０全体の動作を制御する。例えば、ＣＰＵ３１１は、上述したコピー機能、スキャナ機能、ファクス機能、およびプリンタ機能等の各種機能を実現するためにエンジン部３１７の動作を制御する。
【００３２】
ＲＯＭ３１２は、例えば、本体３１０の起動時に実行されるＢＩＯＳ（Ｂａｓｉｃ  Ｉｎｐｕｔ／Ｏｕｔｐｕｔ  Ｓｙｓｔｅｍ）、および各種の設定等を記憶する不揮発性のメモリである。ＲＡＭ３１３は、ＣＰＵ３１１のワークエリア等として用いられる揮発性のメモリである。ストレージ３１４は、例えば、ＯＳ（Ｏｐｅｒａｔｉｎｇ  Ｓｙｓｔｅｍ）、アプリケーションプログラム、および各種データ等を記憶する不揮発性の記憶装置である。ストレージ３１４は、例えば、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）等で構成される。
【００３３】
通信Ｉ／Ｆ３１５は、本体３１０をネットワーク３６０に接続し、ネットワーク３６０に接続された外部装置との通信を行うためのネットワークインターフェースである。接続Ｉ／Ｆ３１６は、通信路３５０を介して、操作部３３０と通信するためのインターフェースである。
【００３４】
エンジン部３１７は、コピー機能、スキャナ機能、ファクス機能、およびプリンタ機能等の機能を実現させるための、汎用的な情報処理および通信以外の処理を行うハードウェアである。エンジン部３１７には、例えば、原稿の画像をスキャンして読み取るスキャナ部、用紙等のシート材への印刷を行うプロッタ部、およびファクス通信を行うファクス部等が含まれる。なお、エンジン部３１７は、印刷済みシート材を仕分けるフィニッシャ、または原稿を自動給送するＡＤＦ（Ａｕｔｏ  Ｄｏｃｕｍｅｎｔ  Ｆｅｅｄｅｒ：自動原稿給送装置）のような特定のオプションが含まれていてもよい。
【００３５】
人体検知センサ３１８は、画像形成装置１０１の周囲の検知範囲（図２に示すセンサ検知範囲２０１）内にある人体（利用者）を検知するセンサである。人体検知センサ３１８は、例えば、焦電センサ等で構成される。人体検知センサ３１８は、図１に示す人体検知センサ１０４に相当する。
【００３６】
システムバス３１９は、上述の各構成要素を互いに接続し、アドレス信号、データ信号、および各種制御信号等を伝送する伝送路である。
【００３７】
＜操作部のハードウェア構成＞
図３に示すように、操作部３３０は、ＣＰＵ３３１と、ＲＯＭ３３２と、ＲＡＭ３３３と、フラッシュメモリ３３４と、通信Ｉ／Ｆ３３５と、操作パネル３３６と、接続Ｉ／Ｆ３３７と、外部接続Ｉ／Ｆ３３８と、近距離無線通信機３３９と、カメラ３４０と、システムバス３４１と、を有する。
【００３８】
ＣＰＵ３３１は、操作部３３０の動作を統括的に制御する。ＣＰＵ３３１は、ＲＡＭ３３３をワークエリア（作業領域）としてＲＯＭ３３２またはフラッシュメモリ３３４等に格納されたプログラムを実行することにより、操作部３３０全体の動作を制御する。例えば、ＣＰＵ３３１は、ユーザから受け付けた入力に応じた情報（画像）を操作パネル３３６に表示させる等の各種機能を実現する。
【００３９】
ＲＯＭ３３２は、例えば、操作部３３０の起動時に実行されるＢＩＯＳ、および各種の設定等を記憶する不揮発性のメモリである。ＲＡＭ３３３は、ＣＰＵ３３１のワークエリア等として用いられる揮発性のメモリである。フラッシュメモリ３３４は、例えば、ＯＳ、アプリケーションプログラム、および各種データ等を記憶する不揮発性の記憶装置である。
【００４０】
通信Ｉ／Ｆ３３５は、操作部３３０をネットワーク３６０に接続し、ネットワーク３６０に接続された外部装置との通信を行うためのネットワークインターフェースである。
【００４１】
操作パネル３３６は、ユーザの操作に応じた各種の入力を受け付けると共に、各種の情報（例えば、受け付けた操作に応じた情報、画像形成装置１０１の動作状況を示す情報、および設定情報等）を表示する、入力機能および表示機能を有する装置である。操作パネル３３６は、例えば、タッチパネル機能を搭載した液晶表示装置（ＬＣＤ：Ｌｉｑｕｉｄ  Ｃｒｙｓｔａｌ  Ｄｉｓｐｌａｙ）で構成される。なお、操作パネル３３６は、液晶表示装置に限定されるものではなく、例えば、タッチパネル機能が搭載された有機ＥＬ（Ｅｌｅｃｔｒｏ−Ｌｕｍｉｎｅｓｃｅｎｃｅ）の表示装置で構成されていてもよい。また、操作パネル３３６は、タッチパネル機能に加えてまたはこれに代えて、ハードウェアキー等の操作部、またはランプ等の表示部を設けることもできる。
【００４２】
接続Ｉ／Ｆ３３７は、通信路３５０を介して、本体３１０と通信するためのインターフェースである。外部接続Ｉ／Ｆ３３８は、外部装置を接続するための、例えば、ＵＳＢ等のインターフェースである。
【００４３】
近距離無線通信機３３９は、近距離無線通信により、所定の範囲（図２に示す無線検知範囲２０２）内の無線タグと通信を行うための近距離無線装置である。近距離無線通信機３３９は、例えば、図１に示すＲＦＩＤタグリーダ１０３等を含み、放射した電波に対して応答を返すＲＦＩＤタグ１０５等から、特定の情報を受信する。なお、近距離無線通信機３３９は、上述したＢＬＥまたはＮＦＣ等の近距離無線通信を行う近距離無線装置であってもよい。
【００４４】
カメラ３４０は、所定の撮像範囲（図２示す画像認証範囲２０３）内の画像を撮像する撮像装置である。カメラ３４０は、図１に示すカメラ１０２に相当する。
【００４５】
システムバス３４１は、上述の各構成要素を互いに接続し、アドレス信号、データ信号、および各種制御信号等を伝送する伝送路である。
【００４６】
（画像形成装置のソフトウェア構成）
図４は、実施形態に係る画像形成装置のソフトウェア構成の一例を示す図である。図４を参照しながら、本実施形態に係る画像形成装置１０１のソフトウェア構成について説明する。
【００４７】
図４に示すように、画像形成装置１０１の本体３１０は、アプリ層４１１と、サービス層４１２と、ＯＳ層４１３と、を含む。アプリ層４１１、サービス層４１２、およびＯＳ層４１３の実体は、ＲＯＭ３１２またはストレージ３１４等に格納されている各種ソフトウェアである。ＣＰＵ３１１が、これらのソフトウェア（プログラム）を実行することにより、本体３１０の各種の機能が提供される。
【００４８】
アプリ層４１１は、ハードウェア資源を動作させて所定の機能を提供するためのアプリケーション（以下、単に「アプリ」という場合がある）である。アプリとしては、例えば、コピー機能を提供するためのコピーアプリ、スキャナ機能を提供するためのスキャナアプリ、ファクス機能を提供するためのファクスアプリ、プリンタ機能を提供するためのプリンタアプリなどが挙げられる。
【００４９】
サービス層４１２は、アプリ層４１１とＯＳ層４１３との間に介在し、アプリ層４１１のアプリに対し、本体３１０が備えるハードウェア資源を利用するためのインターフェースを提供するソフトウェアである。具体的には、サービス層４１２は、ハードウェア資源に対する動作要求を受け付け、動作要求の調停を行う機能を提供する。サービス層４１２が受け付ける動作要求としては、スキャナによる読み取りおよびプロッタによる印刷等の要求が挙げられる。
【００５０】
なお、サービス層４１２によるインターフェースの機能は、本体３１０のアプリ層４１１だけではなく、操作部３３０のアプリ層４３１に対しても提供される。すなわち、操作部３３０のアプリ層４３１も、本体３１０のサービス層４１２のインターフェース機能を介して、本体３１０のハードウェア資源（例えば、エンジン部３１７）を利用した機能を実現することができる。
【００５１】
ＯＳ層４１３は、本体３１０が備えるハードウェアを制御する基本機能を提供するための基本ソフトウェア（オペレーティングシステム）である。サービス層４１２は、各種アプリからのハードウェア資源の利用要求を、ＯＳ層４１３が解釈可能なコマンドに変換してＯＳ層４１３に渡す。そして、ＯＳ層４１３によりコマンドが実行されることにより、ハードウェア資源は、アプリの要求に従った動作を行う。
【００５２】
図４に示すように、画像形成装置１０１の操作部３３０は、アプリ層４３１と、サービス層４３２と、ＯＳ層４３３と、を含む。操作部３３０が含むアプリ層４３１、サービス層４３２、およびＯＳ層４３３も、階層構造については本体３１０側と同様である。ただし、アプリ層４３１のアプリにより提供される機能、およびサービス層４３２が受け付け可能な動作要求の種類は、本体３１０側とは異なる。
【００５３】
アプリ層４３１のアプリは、操作部３３０が備えるハードウェア資源を動作させて所定の機能を提供するためのソフトウェアであってもよいが、主として本体３１０が備える機能に関する操作および表示を行うためのＵＩ（Ｕｓｅｒ  Ｉｎｔｅｒｆａｃｅ）の機能を提供する。また、アプリ層４３１のアプリは、操作部３３０が備える近距離無線通信機３３９、および、カメラ３４０等を用いた認証機能を提供する。
【００５４】
なお、本実施形態では、機能の独立性を保つために、本体３１０側のＯＳ層４１３のソフトウェアと、操作部３３０側のＯＳ層４３３のソフトウェアとが互いに異なる。つまり、本体３１０および操作部３３０は、別々のオペレーティングシステムにより互いに独立して動作する。例えば、本体３１０側のＯＳ層４１３のソフトウェアとしてＬｉｎｕｘ（登録商標）を用い、操作部３３０側のＯＳ層４３３のソフトウェアとしてＡｎｄｒｏｉｄ（登録商標）を用いることも可能である。
【００５５】
以上のように、本実施形態の画像形成装置１０１において、本体３１０および操作部３３０は、別々のオペレーティングシステムで動作するため、本体３１０と操作部３３０との間の通信は、共通の装置内のプロセス間通信ではなく、異なる装置間の通信として行われる。操作部３３０が受け付けた情報（ユーザからの操作指示内容）を本体３１０へ送信する動作（コマンド通信）、および、本体３１０が操作部３３０へ情報を送信する動作等がこれに該当する。ここでは、操作部３３０が本体３１０へコマンド通信を行うことにより、本体３１０の機能を使用することができる。また、本体３１０から操作部３３０に送信する情報には、例えば、本体３１０における動作の実行状況、および本体３１０側で設定された内容等が含まれる。また、本実施形態では、操作部３３０に対する電力供給は、本体３１０から通信路３５０を経由して行われているので、操作部３３０の電源制御を、本体３１０の電源制御とは別に（独立して）行うことができる。
【００５６】
（画像形成装置の機能ブロックの構成）
図５は、実施形態に係る画像形成装置の機能ブロックの構成の一例を示す図である。図５を参照しながら、本実施形態に係る画像形成装置１０１の機能ブロックの構成について説明する。
【００５７】
＜本体の機能ブロックの構成＞
図５に示すように、画像形成装置１０１の本体３１０は、人体検知部５０１と、電力状態制御部５０２と、画像形成部５０３と、記憶部５０４と、装置間通信部５０５と、外部通信部５０７と、を有する。
【００５８】
人体検知部５０１は、人体検知センサ３１８を用いて、画像形成装置１０１の周囲のセンサ検知範囲２０１内にある人（図１の例では、利用者１０６）を検知する機能部である。人体検知部５０１は、例えば、図３に示すＣＰＵ３１１で動作するプログラムによって実現される。人体検知部５０１は、センサ検知範囲２０１内で人を検知した場合、その検知情報を、電力状態制御部５０２に通知し、さらに、装置間通信部５０５および通信路３５０を介して、無線通信部５１１および画像認証部５１５に通知する。
【００５９】
電力状態制御部５０２は、本体３１０および操作部３３０の電力状態を制御する機能部である。電力状態制御部５０２は、例えば、図３に示すＣＰＵ３１１で動作するプログラムによって実現される。電力状態制御部５０２は、予め設定された時間を超えて、画像形成装置１０１の利用がない場合、画像形成装置１０１を、画像形成処理が可能な通常状態よりも消費電力が少ない省電力状態へ移行させる。省電力状態では、例えば、操作部３３０、ならびに、本体３１０のエンジン部３１７の機能等を停止させること等により、消費電力を低減させることができる。また、電力状態制御部５０２は、画像形成装置１０１が省電力状態中に、人体検知部５０１から、人を検知した検知情報の通知を受け取ると、本体３１０を、省電力状態から通常の動作が可能な通常状態へ復帰させる。また、電力状態制御部５０２は、装置間通信部５０５および通信路３５０を介して、操作部３３０に復帰命令を通知することにより、操作部３３０を、省電力状態から通常状態へ復帰させる。
【００６０】
画像形成部５０３は、画像形成装置１０１が備える各種の画像形成機能（例えば、プリンタ機能、コピー機能、スキャナ機能、およびファクス機能等）を実行する機能部である。画像形成部５０３は、例えば、図３に示すエンジン部３１７、および図３に示すＣＰＵ３１１で動作するプログラム等によって実現される。
【００６１】
記憶部５０４は、予め登録された画像形成装置１０１の利用者を示す情報を含む利用者情報Ａ５０６等の様々な情報を記憶する機能部である。記憶部５０４は、例えば、図３に示すＲＡＭ３１３、ストレージ３１４、および図３に示すＣＰＵ３１１で動作するプログラム等によって実現される。
【００６２】
装置間通信部５０５は、通信路３５０を介して、操作部３３０（後述する装置間通信部５１９）とデータの通信を行う機能部である。装置間通信部５０５は、例えば、図３に示す接続Ｉ／Ｆ３１６、および図３に示すＣＰＵ３１１で動作するプログラム等によって実現される。
【００６３】
外部通信部５０７は、本体３１０をネットワーク３６０に接続し、ネットワーク３６０に接続された外部装置と通信を行う機能部である。外部通信部５０７は、例えば、図３に示す通信Ｉ／Ｆ３１５、および図３に示すＣＰＵ３１１で動作するプログラム等によって実現される。
【００６４】
なお、図５に示す本体３１０の人体検知部５０１、電力状態制御部５０２、画像形成部５０３、記憶部５０４、装置間通信部５０５および外部通信部５０７は、機能を概念的に示したものであって、このような構成に限定されるものではない。例えば、図５に示す本体３１０で独立した機能部として図示した複数の機能部を、１つの機能部として構成してもよい。一方、図５に示す本体３１０で１つの機能部が有する機能を複数に分割し、複数の機能部として構成するものとしてもよい。
【００６５】
また、本体３１０の人体検知部５０１、電力状態制御部５０２および画像形成部５０３の一部または全部は、ソフトウェアであるプログラムではなく、ＦＰＧＡ（Ｆｉｅｌｄ−Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェア回路によって実現されてもよい。
【００６６】
＜操作部の機能ブロックの構成＞
図５に示すように、画像形成装置１０１の操作部３３０は、無線通信部５１１と、無線認証部５１２（認証部の一例、第１の認証部の一例）と、撮像部５１３と、特徴情報抽出部５１４と、画像認証部５１５（認証部の一例、第２の認証部の一例）と、認証部５１６と、利用者情報管理部５１７と、記憶部５１８と、装置間通信部５１９と、外部通信部５２１と、アプリ起動管理部５２２（特定部、起動部）と、表示制御部５２３と、表示部５２４と、を有する。
【００６７】
無線通信部５１１は、近距離無線通信機３３９を用いた近距離無線通信により、所定の範囲（例えば、図２に示す無線検知範囲２０２）内の無線タグから特定の情報を受信する機能部である。無線通信部５１１は、人体検知部５０１から人を検知した検知情報を受信すると、無線タグから特定の情報を受信するために電波を放射する。無線通信部５１１は、例えば、図３に示す近距離無線通信機３３９、および図３に示すＣＰＵ３３１で動作するプログラムによって実現される。無線通信部５１１は、電波を放射することにより形成された図２に示す無線検知範囲２０２内にあるＲＦＩＤタグ１０５から、無線タグＩＤ等の特定の情報を受信する。なお、無線検知範囲２０２内に複数のＲＦＩＤタグ１０５が存在する場合、無線通信部５１１は、それぞれのＲＦＩＤタグ１０５から無線タグＩＤ等の特定の情報を受信することが可能である。
【００６８】
無線認証部５１２は、無線通信部５１１が受信した特定の情報と、予め登録された利用者情報とに基づいて、特定の情報を送信した無線タグを認証する機能部である。無線認証部５１２は、例えば、図３に示すＣＰＵ３３１で動作するプログラムによって実現される。無線認証部５１２は、無線通信部５１１が受信したＲＦＩＤタグ１０５の無線タグＩＤと、予め登録された利用者情報（例えば、後述する利用者情報ａ５２０、および利用者情報Ａ５０６等）とに基づいて、ＲＦＩＤタグ１０５の認証（無線認証）（第１の認証の一例）を行う。無線認証部５１２は、無線通信部５１１が受信したＲＦＩＤタグ１０５の無線タグＩＤが予め登録された利用者情報に含まれる場合、ＲＦＩＤタグ１０５の認証を許可する。また、無線認証部５１２は、認証を許可したＲＦＩＤタグ１０５の利用者を示す情報を、認証部５１６に出力する。なお、無線認証部５１２は、認証を許可したＲＦＩＤタグ１０５の利用者を示す情報を保持するため、記憶部５１８に出力して記憶させるものとしてもよい。また、無線認証部５１２は、無線通信部５１１により複数のＲＦＩＤタグ１０５からそれぞれ無線タグＩＤを受信した場合、複数の無線タグＩＤについて順次、無線認証を行い、無線認証の結果を保持しておくものとすればよい。
【００６９】
撮像部５１３は、カメラ３４０を用いて画像を撮像する機能部である。撮像部５１３は、例えば、図３に示すＣＰＵ３３１で動作するプログラムによって実現される。撮像部５１３は、画像形成装置１０１の前方の画像を撮像することにより、画像形成装置１０１の正面にいる利用者１０６の画像を撮像する。
【００７０】
特徴情報抽出部５１４は、撮像部５１３により撮像された撮像画像に顔画像が含まれる場合、顔画像、およびその顔画像の特徴情報（利用者の特徴を示す特徴情報の一例）を抽出する機能部である。特徴情報抽出部５１４は、例えば、図３に示すＣＰＵ３３１で動作するプログラムによって実現される。なお、顔画像の特徴情報には、例えば、顔の輪郭、目、鼻、あご、およびほお骨等の各パーツの形状および相対位置等の情報が含まれる。このような特徴情報抽出部５１４による撮像画像における顔画像の検出方法として、公知のＨａａｒ−ｌｉｋｅ特徴に基づく顔検出方法等が適用できる。
【００７１】
画像認証部５１５は、撮像部５１３により撮像された撮像画像と、予め登録された利用者情報とに基づいて、撮像部５１３により撮像された撮像画像に含まれる利用者を認証する機能部である。画像認証部５１５は、例えば、図３に示すＣＰＵ３３１で動作するプログラムによって実現される。画像認証部５１５は、撮像部５１３により撮像された撮像画像から特徴情報抽出部５１４により抽出された利用者の顔画像の特徴情報と、予め登録された利用者情報（例えば、後述する利用者情報ａ５２０、および利用者情報Ａ５０６等）とに基づいて、撮像画像に含まれる利用者の認証（画像認証）（第２の認証の一例）を行う。画像認証部５１５は、特徴情報抽出部５１４が抽出した顔画像の特徴情報に対応する一の特徴情報が予め登録された利用者情報に含まれる場合、撮像画像に含まれる利用者の認証を許可する。また、画像認証部５１５は、認証を許可した利用者を示す情報を認証部５１６に出力する。なお、画像認証部５１５は、認証を許可した利用者を示す情報を保持するため、記憶部５１８に出力して記憶させるものとしてもよい。
【００７２】
なお、本実施形態では、画像認証部５１５は、公知の顔認証技術（例えば、特開２０１５−３５１７８号公報参照）を用いて、利用者の画像認証を行うものであればよい。また、画像認証部５１５は、撮像部５１３により撮像された撮像画像に含まれる利用者の生体の特徴を示す特徴情報に基づいて、利用者の認証を行う様々な公知の画像認証方式（例えば、指紋認証、虹彩認証、または静脈認証等）により、利用者の認証を行うものであってもよい。
【００７３】
認証部５１６は、無線認証部５１２により認証が許可された利用者を示す情報と、画像認証部５１５により認証が許可された利用者を示す情報とに基づいて、利用者のログイン認証（装置認証）を行う機能部である。認証部５１６は、例えば、図３に示すＣＰＵ３３１で動作するプログラムによって実現される。認証部５１６は、無線認証部５１２により認証が許可された無線タグ（ＲＦＩＤタグ１０５）の利用者と、画像認証部５１５により認証が許可された利用者とが同じ利用者である場合、その利用者の画像形成装置１０１の使用を許可する。好適な一例として、認証部５１６は、無線認証部５１２により認証が許可された無線タグの利用者の識別情報と、画像認証部５１５により認証が許可された利用者の識別情報とが一致した場合、その利用者の画像形成装置１０１の使用を許可する。
【００７４】
一方、無線認証部５１２により認証が許可された無線タグの利用者の識別情報と、画像認証部５１５により認証が許可された利用者の識別情報とが一致しない場合の具体例としては、ＲＦＩＤタグ１０５を有する利用者が画像形成装置１０１周辺を通過し、ＲＦＩＤタグ１０５を有していないが、後述する図６の「利用者の特徴情報」が登録済みの利用者が、画像形成装置１０１の前にいるような場合が該当する。この場合、認証部５１６は、ログインを許可しない。
【００７５】
なお、無線認証部５１２から得られた利用者の識別情報と、画像認証部５１５から得られた利用者の識別情報とが一致した場合とは、２つの識別情報が完全に一致した場合だけではなく、２つの識別情報が実質的に同じ利用者の識別情報と判断できる場合も含まれ得る。例えば、画像認証部５１５から得られた利用者の識別情報が８桁の社員ＩＤであり、無線認証部５１２から得られた利用者の識別情報が社員ＩＤに２文字を付加した１０桁のログインＩＤであるような場合、２つの識別情報が一致したと判断されるものであってもよい。このように、認証部５１６は、無線認証部５１２から得られた利用者の識別情報と画像認証部５１５から得られた利用者の識別情報とが、同じ利用者に関する識別情報である場合、その利用者の画像形成装置１０１の利用を許可するものであってもよい。
【００７６】
利用者情報管理部５１７は、記憶部５１８に記憶された利用者情報ａ５２０を管理する機能部である。利用者情報管理部５１７は、例えば、図３に示すＣＰＵ３３１で動作するプログラムによって実現される。
【００７７】
記憶部５１８は、画像形成装置１０１の利用者を示す情報を含む利用者情報ａ５２０、および後述する認証設定情報等の各種の情報を記憶する機能部である。記憶部５１８は、例えば、図３に示すＲＡＭ３３３、フラッシュメモリ３３４、および図３に示すＣＰＵ３３１で動作するプログラム等によって実現される。
【００７８】
装置間通信部５１９は、通信路３５０を介して、本体３１０（装置間通信部５０５）とデータの通信を行う機能部である。装置間通信部５１９は、例えば、図３に示す接続Ｉ／Ｆ３３７、および図３に示すＣＰＵ３３１で動作するプログラム等によって実現される。
【００７９】
外部通信部５２１は、操作部３３０をネットワーク３６０に接続し、ネットワーク３６０に接続された外部装置と通信を行う機能部である。外部通信部５２１は、例えば、図３に示す通信Ｉ／Ｆ３３５、および図３に示すＣＰＵ３３１で動作するプログラム等によって実現される。
【００８０】
アプリ起動管理部５２２は、表示部５２４に表示されるホーム画面のアプリアイコンの表示態様を変更し、アプリアイコンが押下された場合、当該アプリアイコンに対応するアプリの起動可否を判定して、起動不可の場合、エラー画面を表示させる機能部である。アプリ起動管理部５２２は、例えば、図３に示すＣＰＵ３３１で動作するプログラムによって実現される。
【００８１】
表示制御部５２３は、表示部５２４の画面の表示動作を制御する機能部である。表示制御部５２３は、例えば、図３に示すＣＰＵ３３１で動作するプログラムによって実現される。
【００８２】
表示部５２４は、表示制御部５２３による制御に従って、各種データを画面に表示させる機能部である。表示部５２４は、図３に示す操作パネル３３６の表示機能（液晶表示装置等）によって実現される。
【００８３】
なお、図５に示す操作部３３０の無線通信部５１１、無線認証部５１２、撮像部５１３、特徴情報抽出部５１４、画像認証部５１５、認証部５１６、利用者情報管理部５１７、記憶部５１８、装置間通信部５１９、外部通信部５２１、アプリ起動管理部５２２、表示制御部５２３および表示部５２４は、機能を概念的に示したものであって、このような構成に限定されるものではない。例えば、図５に示す操作部３３０で独立した機能部として図示した複数の機能部を、１つの機能部として構成してもよい。一方、図５に示す操作部３３０で１つの機能部が有する機能を複数に分割し、複数の機能部として構成するものとしてもよい。例えば、後述するアプリ起動管理部５２２の機能である、起動操作が行われたアプリを起動するために許可が必要な認証を特定する機能を「特定部」とし、当該起動操作の対象となるアプリを起動させる機能を「起動部」として、アプリ起動管理部５２２を複数の機能部に分割するものとしてもよい。
【００８４】
また、操作部３３０の無線通信部５１１、無線認証部５１２、撮像部５１３、特徴情報抽出部５１４、画像認証部５１５、認証部５１６、利用者情報管理部５１７、アプリ起動管理部５２２および表示制御部５２３の一部または全部は、ソフトウェアであるプログラムではなく、ＦＰＧＡまたはＡＳＩＣ等のハードウェア回路によって実現されてもよい。
【００８５】
また、画像形成装置１０１の本体３１０および操作部３３０がそれぞれ含む各機能部は、図５に示すような構成で本体３１０または操作部３３０に含まれることに限定されない。例えば、図５に示す例では、認証部５１６は操作部３３０に含まれているが、これに限定されるものではなく、本体３１０に含まれる構成であってもよい。この場合、無線認証部５１２は、通信路３５０を介して無線認証部５１２の認証結果（例えば、認証が許可された利用者を示す情報）を認証部５１６に通知する。同様に、画像認証部５１５は、通信路３５０を介して画像認証部５１５の認証結果（例えば、認証が許可された利用者を示す情報）を認証部５１６に通知する。また、認証部５１６は、通信路３５０を介して受信した、無線認証部５１２の認証結果、および画像認証部５１５の認証結果に基づいて利用者の認証（装置認証）を行う。また、例えば、図５に示す例では、人体検知部５０１は本体３１０に含まれているが、これに限定されるものではなく、操作部３３０に含まれる構成であってもよい。
【００８６】
（利用者情報の構成）
図６は、実施形態に係る利用者情報の一例を示す図である。図７は、実施形態に係る利用者情報の別の一例を示す図である。図６および７を参照しながら、操作部３３０の記憶部５１８に記憶された利用者情報ａ５２０のデータ構成について説明する。
【００８７】
図６に示す利用者情報ａ５２０は、予め登録された利用者情報の一例である。図６の例では、利用者情報ａ５２０には、「利用者番号」、「名前」、「メールアドレス」、「ログインＩＤ」、「ログインパスワード」、「無線タグＩＤ」および「利用者の特徴情報」等の情報が含まれている。
【００８８】
「利用者番号」は、例えば、利用者情報ａ５２０に各利用者の情報が登録された際に採番されたシリアル番号、または、利用者のデータ毎に固有の識別番号等であり、利用者毎に固有の識別情報（利用者の識別情報）の一例である。また、「利用者番号」は、例えば、社員ＩＤ等の利用者の識別情報であってもよい。
【００８９】
「名前」は、利用者の名前である。「メールアドレス」は、利用者のメールアドレスである。「ログインＩＤ」および「ログインパスワード」は、利用者が画像形成装置１０１にログインするための認証情報の一例である。
【００９０】
「無線タグＩＤ」は、各利用者が所持しているＲＦＩＤタグ１０５により送信されるＲＦＩＤタグ１０５を示すタグＩＤ等の識別情報であり、例えば、８桁の数字で表される。なお、「無線タグＩＤ」は、ＲＦＩＤタグ１０５から送信される特定の情報の一例であり、特定の情報には、数字以外の情報、例えば、利用者の識別情報等が含まれていてもよい。
【００９１】
「利用者の特徴情報」は、画像形成装置１０１の利用者の、例えば、顔の輪郭、目、鼻、あご、およびほお骨等の各パーツの形状および相対位置等の利用者の顔に関する特徴情報である。なお、図６に示す「利用者の特徴情報」のデータ形式は一例であり、任意の形式であってもよい。「利用者の特徴情報」は、利用者ごとに予め取得して利用者情報ａ５２０に登録しておく必要がある。
【００９２】
図６に示す利用者情報ａ５２０には、例えば、データ種別が「データ２」である場合、利用者番号が「１０１００２」、名前が「山田  次郎」、メールアドレスが「ｂｂｂ＠ｂｂｂ．ｃｃｃ」、ログインＩＤが「ｙａｍａｄａ＿ｊｉｒｏ」、ログインパスワードが「ａｂｃｄｅｆ」、無線タグＩＤが「００５３５２１３」、利用者の特徴情報が「｛５６，１１１，−３，・・・，−１２０，４７，２０８｝」であり、各情報が対応づけられて記憶されている。
【００９３】
操作部３３０の記憶部５１８には、例えば、図６に示すような利用者情報ａ５２０を３００件〜１８００件程度記憶することができる。例えば、操作部３３０の利用者情報管理部５１７は、本体３１０の記憶部５０４に記憶された利用者情報Ａ５０６のうちの少なくとも一部を、操作部３３０の記憶部５１８に利用者情報ａ５２０として記憶しておく。これにより、無線認証部５１２および画像認証部５１５は、操作部３３０の記憶部５１８に記憶された利用者情報ａ５２０を、本体３１０の記憶部５０４に記憶された利用者情報Ａ５０６よりも速く読み出すことができるようになる。
【００９４】
なお、記憶部５１８には、利用者情報ａ５２０に加えて、または代えて、図７に示す利用者情報６０１、６０２が記憶されているものとしてもよい。図７（ａ）に示す利用者情報６０１には、上述した「無線タグＩＤ」と、利用者毎に固有の識別情報（利用者の識別情報）の一例である「利用者ＩＤ」と、が対応づけられて記憶されている。無線認証部５１２は、少なくとも利用者情報６０１に示す情報があれば、ＲＦＩＤタグ１０５の認証（無線認証）を行うことができる。例えば、無線認証部５１２は、無線通信部５１１が受信したＲＦＩＤタグ１０５の無線タグＩＤが利用者情報６０１に含まれる場合、ＲＦＩＤタグ１０５の認証を許可し、認証が許可されたＲＦＩＤタグ１０５に対応する利用者ＩＤを認証部５１６等に出力する。
【００９５】
図７（ｂ）に示す利用者情報６０２には、「利用者ＩＤ」と、上述した「利用者の特徴情報」と、が対応づけられて記憶されている。画像認証部５１５は、少なくとも利用者情報６０２に含まれる情報があれば、画像に含まれる利用者の認証（画像認証）を行うことができる。例えば、画像認証部５１５は、特徴情報抽出部５１４により抽出された利用者の顔画像の特徴情報に対応する一の特徴情報が、利用者情報６０２に含まれる場合、画像に含まれる利用者の認証を許可し、認証が許可された利用者の利用者ＩＤを認証部５１６等に出力する。
【００９６】
また、図６および図７に示す利用者情報ａ５２０、および利用者情報６０１、６０２は、いずれもテーブル形式の情報としているが、これに限定されるものではなく、各フィールドの値を互いに関連付けて管理することができれば、どのような形式の情報であってもよい。
【００９７】
（認証設定情報およびホーム画面のアプリアイコン）
図８は、実施形態に係る認証設定情報の一例を示す図である。図８を参照しながら、操作部３３０の記憶部５１８に記憶された認証設定情報７００のデータ構成について説明する。
【００９８】
図８に示す認証設定情報７００は、予め設定登録された認証設定情報の一例であり、操作部３３０が機能として有する各アプリの起動の際に、無線認証および画像認証のうちいずれの認証を必要とするかを示す情報である。図８の例では、認証設定情報７００には、「アプリ種別」、「無線認証」および「画像認証」等の情報が含まれている。
【００９９】
「アプリ種別」は、アプリの名称等のアプリの種別を示す情報である。「無線認証」は、対応するアプリを起動する場合における無線認証の許可の要否を示す情報である。「画像認証」は、対応するアプリを起動する場合における画像認証の許可の要否を示す情報である。
【０１００】
図８に示す認証設定情報７００では、例えば、アプリ種別が「アプリＡ」であるアプリは、無線認証が「不要」、画像認証が「不要」の機密度が低いアプリ（例えば、トナー残量ヴィジェットまたは時計アプリ等）であることが示されている。また、アプリ種別が「アプリＢ」であるアプリは、無線認証が「要」、画像認証が「不要」の機密度が中程度のアプリ（例えば、ユーザが持っている紙の情報を扱うだけで画像形成装置１０１内の機密情報を扱わないコピーアプリまたはスキャナアプリ等）であることが示されている。また、アプリ種別が「アプリＣ」であるアプリは、無線認証が「要」、画像認証が「要」の機密度が高いアプリ（例えば、管理者向けの機器設定アプリ、または、個人アカウントを使用するボックス機能もしくはプルプリント機能を用いたアプリ等）であることが示されている。
【０１０１】
以上の図８に示した認証設定情報７００のように、画像形成装置１０１が有する各アプリは、機密性に応じて必要とする認証が適宜割り振られている。すなわち、全てのアプリについて、無線認証および画像認証を必要とするものとせず、機密度に基づいて各認証の許可の要否を設定するものとしている。これによって、例えば、画像認証を必要とせず、無線認証の許可だけで起動できるアプリは、無線認証よりも時間のかかる画像認証を行わずに無線認証の許可だけで起動できるので、アプリの利用性を向上させることができる。また、例えば、認証設定情報７００を管理者によって編集可能な情報であるとした場合、アプリの機密性の変動に伴って、必要とする認証の種類の割り当てを変更することも可能である。
【０１０２】
なお、図８に示す認証設定情報７００は、テーブル形式の情報としているが、これに限定されるものではなく、各フィールドの値を関連付けて管理することができれば、どのような形式の情報であってもよい。
【０１０３】
また、図８に示す認証設定情報７００は、無線認証および画像認証のうちいずれの認証を必要とするかを示す情報としているが、各アプリが許可を必要とする認証の種類は無線認証および画像認証に限定されるものでもなく、認証の種類も２種類に限定されるものではない。例えば、無線認証および画像認証の他、パスワード認証、声紋認証、掌形認証、または、上述した指紋認証、虹彩認証もしくは静脈認証等のうち少なくともいずれかの認証を、各アプリの起動に必要な認証として認証設定情報７００によって割り当てるものとしてもよい。
【０１０４】
図９および図１０は、それぞれ実施形態に係る画像形成装置に表示されるホーム画面の一例を示す図である。図９および図１０を参照しながら、各アプリを起動するためのアプリアイコンが表示されたホーム画面の一例について説明する。図９に示すホーム画面８０１、図１０に示すホーム画面８０２は、表示部５２４で表示される画面である。
【０１０５】
図９および図１０に示すホーム画面８０１、８０２は、画像形成装置１０１が有する各アプリを起動するための画面の一例を示すものであり、ここでは、アプリＡ、アプリＢおよびアプリＣの３つのアプリを起動するためのアイコン（以下、「アプリアイコン」と称する場合がある）が表示されたホーム画面であるものとして説明する。
【０１０６】
図９に示すホーム画面８０１では、当該画面を利用しようとする利用者について無線認証が許可されており、画像認証については許可がされていない状態であるものとする。この場合、アプリＡおよびアプリＢは、画像認証に許可を必要としないので、無線認証のみが許可された状態ではそれぞれ起動が可能であり、アプリＡのアプリアイコン９０１およびアプリＢのアプリアイコン９０２は、各アプリが起動可能であることを示すために通常輝度（第１の輝度）のアイコンとして表示されている。一方、アプリＣは、無線認証および画像認証の双方の許可を必要とするので、無線認証のみが許可された状態では起動が不可であり、アプリＣのアプリアイコン９０３は、当該アプリＣが起動不可であることを示すために、通常輝度よりも輝度が低い半輝度（グレーアウト、不活性表示）（第２の輝度）のアイコンとして表示されている。このように半輝度の状態で表示されたアプリアイコン９０３が押下されると、起動が不可であることを理由と共に示すエラー画面が表示される。ここで、半輝度とは、必ずしも通常輝度の半分の輝度を示すのではなく、上述のように、少なくとも通常輝度よりも輝度が低いことを示すものとする。このエラー画面の表示処理については、図１５〜図２０で後述する。
【０１０７】
ここで、アプリアイコンを半輝度にする方法としては、例えば、アプリアイコンの画像のＲＧＢ値の彩度もしくは明度を下げて表示、アプリアイコンの画像に透過させたグレーのフィルタをかけて表示、または、アプリアイコンの画像のＲＧＢ値の彩度もしくは明度を下げた別画像を記憶しておき当該別画像を表示する等の方法が挙げられる。
【０１０８】
次に、無線認証の許可に続いて、画像認証の許可がされた場合のホーム画面が、図１０に示すホーム画面８０２である。この場合、アプリＡおよびアプリＢは、画像認証の状態は影響しないので、少なくとも無線認証が許可された状態ではそれぞれ起動が可能であり、アプリＡのアプリアイコン９０１およびアプリＢのアプリアイコン９０２は、各アプリが起動可能であることを示すために通常輝度のアイコンとして表示されたままである。一方、アプリＣは、無線認証および画像認証の双方の許可を必要とするので、無線認証の許可に続いて、画像認証が許可された状態では起動が可能であり、アプリＣのアプリアイコン９０３は、半輝度のアイコンの状態から、通常輝度のアイコンの状態に表示が切り替わる。
【０１０９】
このように、各アプリを起動するためのアプリアイコンの表示態様によって、当該各アプリの起動の可否を判断することができ、かつ、起動不可の状態でアプリアイコンが押下された場合はエラー画面が表示され、現在の認証の状態が明示される（後述）ので、アプリの利用性をさらに向上させることができる。
【０１１０】
なお、図９に示すホーム画面８０１では、起動不可であるアプリアイコン（図９ではアプリアイコン９０３）をアプリ名（「アプリＣ」）と共に半輝度となるように表示する例を示したが、これに限定されるものではない。すなわち、半輝度にするのはアプリアイコンのアイコン部分（図９では円形状のアイコン部分）のみとし、アプリ名は通常輝度のままとするものとしてもよい。これによって、利用者は、起動可能または起動不可に関わらず、どのようなアプリが備わっているのかを把握することができ、かつ、それぞれのアプリアイコンに対応するアプリについて起動の可否を判断することができる。
【０１１１】
（無線認証処理の流れ）
図１１は、実施形態に係る画像形成装置の無線認証処理の一例を示すフローチャートである。図１１を参照しながら、本実施形態に係る画像形成装置１０１の無線認証処理の流れについて説明する。なお、図１１においては、無線通信部５１１は、無線タグから特定の情報を受信するための電波を放射しているものとして説明する。
【０１１２】
＜ステップＳ１０１＞
まず、無線通信部５１１は、所定の範囲（例えば、図２に示す無線検知範囲２０２）内の無線タグ（ＲＦＩＤタグ１０５）から識別情報（無線タグＩＤ）を受信する。無線通信部５１１が識別情報を受信した場合（ステップＳ１０１：Ｙｅｓ）、ステップＳ１０２へ移行し、受信できなかった場合（ステップＳ１０１：Ｎｏ）、再度受信を行う。
【０１１３】
＜ステップＳ１０２＞
無線認証部５１２は、無線通信部５１１が受信した識別情報（無線タグＩＤ）と、予め登録された利用者情報とに基づいて、識別情報を送信した無線タグ（ＲＦＩＤタグ１０５）を認証する。具体的には、無線認証部５１２は、無線通信部５１１が受信したＲＦＩＤタグ１０５の無線タグＩＤと、予め登録された利用者情報ａ５２０または利用者情報Ａ５０６に基づいて、ＲＦＩＤタグ１０５を認証（無線認証）する。無線認証部５１２は、無線通信部５１１が受信したＲＦＩＤタグ１０５の無線タグＩＤが利用者情報ａ５２０または利用者情報Ａ５０６に含まれる場合、ＲＦＩＤタグ１０５の認証を許可する。また、無線認証部５１２は、無線通信部５１１が受信した無線タグＩＤが利用者情報ａ５２０または利用者情報Ａ５０６に含まれない場合、ＲＦＩＤタグ１０５の認証を許可しない。そして、ステップＳ１０３へ移行する。
【０１１４】
＜ステップＳ１０３＞
無線認証部５１２による無線認証の結果、ＲＦＩＤタグ１０５の認証を許可する場合（認証結果が「ＯＫ」である場合）（ステップＳ１０３：Ｙｅｓ）、ステップＳ１０４へ移行する。一方、ＲＦＩＤタグ１０５の認証を許可しない場合（認証結果が「ＯＫ」でない場合）（ステップＳ１０３：Ｎｏ）、ステップＳ１０１へ戻り、同様の処理を繰り返す。
【０１１５】
＜ステップＳ１０４＞
無線認証部５１２は、認証を許可した（認証結果が「ＯＫ」となった）ＲＦＩＤタグ１０５の利用者を示す情報（例えば、「利用者番号」または「利用者ＩＤ」等の利用者の識別情報）を、認証部５１６に出力する。このとき、無線認証部５１２は、認証を許可したＲＦＩＤタグ１０５の利用者の識別情報と共に、認証が許可されたこと（認証結果が「ＯＫ」であること）を示す情報を、認証部５１６に出力するものであってもよい。また、上述のステップＳ１０３において、無線認証部５１２は、認証を許可しない場合、認証が許可されないこと（認証結果が「ＮＧ」であること）を示す情報を、認証部５１６に出力するものであってもよい。
【０１１６】
以上のステップＳ１０１〜Ｓ１０４の動作によって、画像形成装置１０１により無線認証処理が実行される。
【０１１７】
（画像認証処理の流れ）
図１２は、実施形態に係る画像形成装置の画像認証処理の一例を示すフローチャートである。図１３は、画像認証の一例について説明するための図である。図１２および図１３を参照しながら、本実施形態に係る画像形成装置１０１の画像認証処理の流れについて説明する。
【０１１８】
＜ステップＳ２０１＞
撮像部５１３は、カメラ３４０を用いて前方の撮像範囲（例えば、図２に示す画像認証範囲２０３）に向かって画像を撮像し、撮像画像を取得する。このとき、取得される撮像画像の例を図１３（ａ）に示す。図１３（ａ）に示す撮像画像１００１には、画像形成装置１０１の前方にいる利用者１００２が含まれている。このように、カメラ３４０は、画像形成装置１０１の前方にいる利用者１００２が、撮像画像１００１に含まれるように設置されている。そして、ステップＳ２０２へ移行する。
【０１１９】
＜ステップＳ２０２＞
特徴情報抽出部５１４は、撮像部５１３により取得された撮像画像から顔部分の画像（顔画像）を検出する。このとき、検出される顔画像の例を図１３（ｂ）に示す。特徴情報抽出部５１４は、例えば、カメラ３４０で撮像された撮像画像１００１から、利用者の顔の輪郭１００４、目１００５、および鼻１００６等のパーツを抽出し、例えば、公知のパターンマッチング技術等を用いて利用者の顔画像１００３を検出する。そして、ステップＳ２０３へ移行する。
【０１２０】
＜ステップＳ２０３＞
特徴情報抽出部５１４によって撮像画像１００１から顔画像１００３が検出された場合（ステップＳ２０３：Ｙｅｓ）、ステップＳ２０４へ移行する。一方、特徴情報抽出部５１４によって撮像画像１００１から顔画像１００３が検出されなかった場合（ステップＳ２０３：Ｎｏ）、ステップＳ２０１へ戻り、同様の処理を繰り返す。
【０１２１】
＜ステップＳ２０４＞
特徴情報抽出部５１４は、検出した顔画像から、当該顔画像の特徴情報を抽出する。画像認証部５１５は、抽出された顔画像の特徴情報を用いて認証（画像認証）を行う。なお、画像認証の処理は、公知の様々な顔認証技術（例えば、上述の特開２０１５−３５１７８号公報参照）を適用することができる。ここでは、一例について概要のみ説明する。
【０１２２】
例えば、利用者情報ａ５２０および利用者情報Ａ５０６の「利用者の特徴情報」には、画像形成装置１０１の利用が許可された各利用者について予め取得された顔の輪郭、目、鼻、あご、およびほお骨等の各パーツの形状および相対位置等の情報が含まれる。また、特徴情報抽出部５１４は、撮像部５１３が取得した撮像画像１００１に含まれる顔画像１００３を検出し、検出した顔画像１００３から利用者の特徴情報を抽出する。画像認証部５１５は、特徴情報抽出部５１４によって抽出された利用者の特徴情報を、利用者情報ａ５２０または利用者情報Ａ５０６の「利用者の特徴情報」の各々と比較し、撮像画像１００１に含まれる利用者が、利用者情報ａ５２０または利用者情報Ａ５０６に登録済みの利用者であるか否かを判断する。画像認証部５１５は、撮像画像１００１に含まれる利用者が、利用者情報ａ５２０または利用者情報Ａ５０６に登録済みの利用者であると判断した場合、撮像画像１００１に含まれる利用者の認証を許可する。一方、画像認証部５１５は、撮像画像１００１に含まれる利用者が、利用者情報ａ５２０または利用者情報Ａ５０６に登録済みの利用者でないと判断した場合、撮像画像１００１に含まれる利用者の認証を許可しない。そして、ステップＳ２０５へ移行する。
【０１２３】
＜ステップＳ２０５＞
画像認証部５１５による画像認証の結果、利用者の認証を許可する場合（認証結果が「ＯＫ」である場合）（ステップＳ２０５：Ｙｅｓ）、ステップＳ２０６へ移行する。一方、利用者の認証を許可しない場合（認証結果が「ＯＫ」でない場合）（ステップＳ２０５：Ｎｏ）、ステップＳ２０１へ戻り、同様の処理を繰り返す。
【０１２４】
＜ステップＳ２０６＞
画像認証部５１５は、認証を許可した（認証結果が「ＯＫ」となった）利用者を示す情報（例えば、「利用者番号」、「利用者ＩＤ」等の利用者の識別情報）を、認証部５１６に出力する。このとき、画像認証部５１５は、認証を許可した利用者の識別情報と共に、認証が許可されたこと（認証結果が「ＯＫ」であること）を示す情報を、認証部５１６に出力するものであってもよい。また、上述のステップＳ２０５において、画像認証部５１５は、認証を許可しない場合、認証が許可されないこと（認証結果が「ＮＧ」であること）を示す情報を、認証部５１６に出力するものであってもよい。
【０１２５】
以上のステップＳ２０１〜Ｓ２０６の動作によって、画像形成装置１０１により画像認証処理が実行される。
【０１２６】
（画像形成装置の認証処理）
図１４は、実施形態に係る画像形成装置の認証処理の一例を示すフローチャートである。図１４を参照しながら、本実施形態に係る画像形成装置１０１の認証処理の流れについて説明する。なお、図１１に示す認証処理の開始時点において、画像形成装置１０１は、電力状態制御部５０２によって、上述した省電力状態に制御されているものとする。
【０１２７】
＜ステップＳ４０１＞
本体３１０の人体検知部５０１により、画像形成装置１０１の周辺の検知範囲（例えば、図２に示すセンサ検知範囲２０１）内で人が検知された場合（ステップＳ４０１：Ｙｅｓ）、ステップＳ４０２へ移行する。人体検知部５０１は、人を検知した場合、その検知情報を、電力状態制御部５０２に通知し、さらに、装置間通信部５０５および通信路３５０を介して、無線認証部５１２および画像認証部５１５に通知する。人が検知されない場合（ステップＳ４０１：Ｎｏ）、人体検知部５０１は、引き続き、人の検知動作を継続する。
【０１２８】
＜ステップＳ４０２＞
本体３１０の電力状態制御部５０２は、本体３１０および操作部３３０の省電力状態を解除する。例えば、電力状態制御部５０２は、操作部３３０については、装置間通信部５０５および通信路３５０を介して、操作部３３０に復帰命令を通知することにより、操作部３３０を、省電力状態から通常状態へ復帰させる。これによって、図１１に示す無線認証部５１２の無線認証処理、および図１２に示す画像認証部５１５による画像認証処理が実行可能となる。そして、ステップＳ４０３へ移行する。
【０１２９】
＜ステップＳ４０３＞
操作部３３０の無線通信部５１１および無線認証部５１２は、例えば、図１１に示すような無線認証処理を実行する。ここで、ＲＦＩＤタグ１０５を有する利用者１０６が、図２に示すセンサ検知範囲２０１に入って、人体検知部５０１により検知された後、さらに、無線検知範囲２０２に入ると、無線通信部５１１により放射される電波により、無線通信部５１１とＲＦＩＤタグ１０５との無線通信が可能となる。
【０１３０】
ここで、無線認証部５１２は、無線認証処理によりＲＦＩＤタグ１０５の認証を許可すると、無線認証処理の処理結果が「ＯＫ」であることを示す情報と、認証が許可されたＲＦＩＤタグ１０５の利用者の識別情報（例えば、図６に示す「利用者番号」）とを、認証部５１６に出力するものとする。一方、無線認証部５１２は、無線認証処理によりＲＦＩＤタグ１０５の認証を許可しない場合、無線認証処理の処理結果が「ＮＧ」であることを示す情報を、認証部５１６に出力するものとする。そして、ステップＳ４０５へ移行する。
【０１３１】
＜ステップＳ４０４＞
操作部３３０の撮像部５１３、特徴情報抽出部５１４および画像認証部５１５は、例えば、図１２に示すような画像認証処理を実行する。ここで、画像認証部５１５は、画像認証処理により撮像画像に含まれる利用者の認証を許可すると、画像認証処理の処理結果が「ＯＫ」であることを示す情報と、認証が許可された利用者の識別情報（例えば、図６に示す「利用者番号」）とを、認証部５１６に出力するものとする。一方、画像認証部５１５は、画像認証処理により撮像画像に含まれる利用者の認証を許可しない場合、画像認証処理の処理結果が「ＮＧ」であることを示す情報を、認証部５１６に出力するものとする。そして、ステップＳ４０５へ移行する。
【０１３２】
＜ステップＳ４０５＞
認証部５１６は、無線認証処理および画像認証処理が終了すると、無線認証部５１２および画像認証部５１５から出力される情報に基づいて、無線認証処理の結果が「ＯＫ」（許可）であり、かつ、画像認証処理の結果が「ＯＫ」（許可）であるか否かを判断する。無線認証処理の結果および画像認証処理の結果が、いずれも「ＯＫ」（許可）である場合（ステップＳ４０５：Ｙｅｓ）、ステップＳ４０６へ移行する。一方、無線認証処理の結果または画像認証処理の結果のいずれかが「ＯＫ」（許可）でない場合（ステップＳ４０５：Ｎｏ）、ステップＳ４０８へ移行する。
【０１３３】
＜ステップＳ４０６＞
認証部５１６は、ステップＳ４０３で無線認証処理が「ＯＫ」になったＲＦＩＤタグ１０５の利用者と、ステップＳ４０４で画像認証処理が「ＯＫ」になった利用者とが、同じ利用者であるか否かを判断する。例えば、認証部５１６は、無線認証部５１２から出力された利用者の識別情報と、画像認証部５１５から出力された利用者の識別情報とが一致するか否かを判断する。無線認証部５１２から出力された利用者の識別情報と、画像認証部５１５から出力された利用者の識別情報とが一致する場合（ステップＳ４０６：Ｙｅｓ）、ステップＳ４０７へ移行する。一方、無線認証部５１２から出力された利用者の識別情報と、画像認証部５１５から出力された利用者の識別情報とが一致しない場合（ステップＳ４０６：Ｎｏ）、ステップＳ４０８へ移行する。
【０１３４】
＜ステップＳ４０７＞
認証部５１６は、無線認証部５１２から出力された利用者の識別情報と、画像認証部５１５から出力された利用者の識別情報とが一致すると判断した場合、その利用者の画像形成装置１０１へのログインを許可する。これによって、利用者は、画像形成装置１０１を使用することができるようになる。そして、認証処理を終了する。
【０１３５】
＜ステップＳ４０８＞
電力状態制御部５０２は、ステップＳ４０２で本体３１０および操作部３３０の省電力状態を解除させてから（すなわち、人体検知部５０１により人の検知がされてから）、所定時間（例えば、５分）が経過したか否かを判定する。また、操作部３３０は、上述の所定時間だけユーザ（利用者１０６）からの操作入力があったか否かを判定する。ユーザからの操作入力がなく所定時間が経過した場合（ステップＳ４０８：Ｙｅｓ）、ステップＳ４０９へ移行する。一方、ユーザからの操作入力があった場合、または、所定時間が経過していない場合（ステップＳ４０８：Ｎｏ）、ステップＳ４０３およびＳ４０４へ戻り、同様の処理を繰り返す。
【０１３６】
＜ステップＳ４０９＞
電力状態制御部５０２は、本体３１０および操作部３３０を省電力状態へ移行させる。例えば、電力状態制御部５０２は、操作部３３０については、装置間通信部５０５および通信路３５０を介して、操作部３３０に移行命令を通知することにより、操作部３３０を、通常状態から省電力状態へ移行させる。
【０１３７】
以上のステップＳ４０１〜Ｓ４０９の動作によって、画像形成装置１０１により認証処理が実行される。ステップＳ４０７において無線認証および画像認証が共に許可された場合は、原則として、すべてのアプリの起動が可能となる。ただし、本実施形態では、図８で上述したように、認証設定情報７００によってアプリごとに機密度に応じて許可が必要な認証の種類を規定し、機密度がそれほど高くないアプリであれば、一部の認証（例えば、無線認証）が許可されれば当該アプリについては起動可能としている。これによって、時間のかかる特定の認証が完了していなくても一部のアプリについては使用可能として、アプリの利用性を向上させることができる。
【０１３８】
（アプリ起動時のエラー画面の表示処理）
次に、図１５〜図２０を参照しながら、アプリアイコンが押下されたときに、認証の状態によって当該アプリが起動できない場合にエラー画面を表示する動作について説明する。
【０１３９】
図１５は、画像認証処理の実施中を示すエラー画面の表示処理の一例を示すシーケンス図である。図１６は、画像認証処理の実施中を示すエラー画面の一例を示す図である。図１５および図１６を参照しながら、アプリアイコンが押下されたときに画像認証処理の実施中を示すエラー画面を表示する表示処理について説明する。なお、表示部５２４に表示されるホーム画面にはアプリＡ、アプリＢおよびアプリＣのアプリアイコンがそれぞれ表示されるものとして説明する。
【０１４０】
＜ステップＳ５０１＞
利用者１０６は、画像形成装置１０１を利用するために画像形成装置１０１へ近づき、センサ検知範囲２０１に進入したものとする。
【０１４１】
＜ステップＳ５０２＞
本体３１０の人体検知部５０１は、センサ検知範囲２０１内に進入した利用者１０６を検知する。
【０１４２】
＜ステップＳ５０３、Ｓ５０４＞
人体検知部５０１は、利用者１０６を検知したことを示す検知情報を、装置間通信部５０５および通信路３５０を介して、操作部３３０の無線認証部５１２および画像認証部５１５に通知する。
【０１４３】
＜ステップＳ５０５＞
画像認証部５１５は、検知情報を受信すると、利用者１０６に対して、例えば、図１２に示すような画像認証処理を開始する。
【０１４４】
＜ステップＳ５０６＞
操作部３３０の無線通信部５１１は、利用者１０６が無線検知範囲２０２に入ると、無線タグ（ＲＦＩＤタグ１０５）から識別情報（無線タグＩＤ）を受信する。
【０１４５】
＜ステップＳ５０７＞
無線認証部５１２は、例えば、図１１に示すような無線認証処理を実行する。
【０１４６】
＜ステップＳ５０８＞
無線認証部５１２は、無線認証処理によりＲＦＩＤタグ１０５の認証を許可すると、無線認証処理の処理結果が「ＯＫ」であることを示す情報と、認証が許可されたＲＦＩＤタグ１０５の利用者を示す情報（例えば、図６に示す「利用者番号」等の利用者の識別情報）とを、認証部５１６に出力する。
【０１４７】
＜ステップＳ５０９＞
認証部５１６は、無線認証部５１２から無線認証処理の処理結果が「ＯＫ」であることを示す情報、および、利用者を示す情報を受け取ると、無線認証処理の処理結果が「ＯＫ」であることを示す情報をアプリ起動管理部５２２に送る。
【０１４８】
＜ステップＳ５１０＞
アプリ起動管理部５２２は、無線認証処理の処理結果が「ＯＫ」であることを示す情報を受け取り、かつ、画像認証処理が未だ実行中であることを確認すると、記憶部５１８に記憶された認証設定情報７００を参照し、画像認証が許可されないと起動できないアプリを特定する。例えば、図８に示す認証設定情報７００の例では、画像認証が許可されないと起動できないアプリは「アプリＣ」および「アプリＸ」である。ただし、ここでは、アプリＡ〜Ｃのアプリアイコンのみを扱うものとしているので、アプリ起動管理部５２２は、画像認証が許可されないと起動できないアプリとして「アプリＣ」を特定する。
【０１４９】
また、アプリ起動管理部５２２は、無線認証の許可のみで起動可能なアプリも特定する。例えば、図８に示す認証設定情報７００の例では、無線認証の許可のみで起動可能なアプリは「アプリＡ」および「アプリＢ」である。ただし、実際には「アプリＡ」は無線認証の許可がなくても起動可能であるが、アプリ起動管理部５２２は、無線認証の許可のみで起動可能なアプリとして「アプリＡ」および「アプリＢ」を特定する。
【０１５０】
そして、アプリ起動管理部５２２は、画像認証処理が実行中であることにより「アプリＣ」は起動することができないため、「アプリＣ」に対応するアプリアイコンを半輝度（グレーアウト、不活性表示）のアイコンとして表示する表示指令を、表示制御部５２３に送る。また、アプリ起動管理部５２２は、無線認証が許可されたことにより「アプリＡ」および「アプリＢ」は起動可能であるため、「アプリＡ」および「アプリＢ」に対応するアプリアイコンをそれぞれ通常輝度のアイコンとして表示する表示指令を、表示制御部５２３に送る。
【０１５１】
＜ステップＳ５１１＞
表示制御部５２３は、受け取った表示指令に従って、表示部５２４に表示させているホーム画面の「アプリＣ」のアプリアイコンを半輝度に表示させ、「アプリＡ」および「アプリＢ」のアプリアイコンをそれぞれ通常輝度に表示させる（図９参照）。
【０１５２】
＜ステップＳ５１２＞
次に、未だ画像認証処理は実行中であり、利用者１０６は、表示部５２４に表示されているアプリアイコンのうち半輝度に表示されている「アプリＣ」のアプリアイコンを押下操作したものとする。
【０１５３】
＜ステップＳ５１３＞
アプリ起動管理部５２２は、認証設定情報７００を参照し、押下操作された「アプリＣ」を起動するために許可が必要な認証が、無線認証および画像認証であることを特定する。アプリ起動管理部５２２は、押下操作された「アプリＣ」のアプリアイコンは半輝度に表示されたアイコンであるため、「アプリＣ」は起動不可であるものと判断し、かつ、画像認証処理が実行中であることを確認すると、例えば、図１６に示すような少なくとも画像認証処理が実行中である旨を示すエラー画面８５１（認証の状態を示す情報の一例）を表示する表示指令を、表示制御部５２３に送る。なお、図１６に示すエラー画面８５１では画像認証を「顔認証」と表現している。また、エラー画面８５１の「取消」ボタンを押下した場合、「アプリＣ」の起動を取り消すことができる。
【０１５４】
＜ステップＳ５１４＞
表示制御部５２３は、受け取った表示指令に従って、表示部５２４にエラー画面８５１を表示させる。このように、画像認証処理が実行中である旨を示すエラー画面を表示することによって、利用者１０６は押下操作したアプリアイコンに対応するアプリ（ここでは「アプリＣ」）が起動できない原因を把握することができ、画像認証処理が正常に終了するように、自らの顔をカメラ３４０に向けた状態を維持する等の措置をとることができる。
【０１５５】
＜ステップＳ５１５＞
画像認証部５１５は、画像認証処理により撮像画像に含まれる利用者１０６の認証を許可すると、画像認証処理の処理結果が「ＯＫ」であることを示す情報と、認証が許可された利用者を示す情報（例えば、図６に示す「利用者番号」等の利用者の識別情報）とを、認証部５１６に出力する。
【０１５６】
＜ステップＳ５１６＞
認証部５１６は、画像認証部５１５から画像認証処理の処理結果が「ＯＫ」であることを示す情報、および、利用者を示す情報を受け取ると、画像認証処理の処理結果が「ＯＫ」であることを示す情報をアプリ起動管理部５２２に送る。
【０１５７】
＜ステップＳ５１７＞
認証部５１６は、無線認証部５１２から出力された利用者の識別情報と、画像認証部５１５から出力された利用者の識別情報とが一致すると判断した場合、その利用者の画像形成装置１０１へのログインを許可する。
【０１５８】
＜ステップＳ５１８＞
アプリ起動管理部５２２は、画像認証処理の処理結果が「ＯＫ」であることを示す情報を受け取ると、エラー画面８５１の表示を解除する解除指令を、表示制御部５２３に送る。
【０１５９】
＜ステップＳ５１９＞
表示制御部５２３は、受け取った解除指令に従って、表示部５２４におけるエラー画面８５１の表示を解除する。
【０１６０】
＜ステップＳ５２０＞
アプリ起動管理部５２２は、画像認証処理の処理結果が「ＯＫ」であることを示す情報を受け取ったことにより、ステップＳ５１２で押下操作されたアプリアイコンに対応するアプリが起動可能となったものと判断し、当該アプリ（図１５の例ではアプリ５５０と称する）に対して起動指令を送る。
【０１６１】
＜ステップＳ５２１＞
アプリ５５０は、起動指令に従って起動する。
【０１６２】
＜ステップＳ５２２＞
利用者１０６は、例えば、起動したアプリ５５０が有する印刷機能を利用するために、印刷開始操作を行う。
【０１６３】
＜ステップＳ５２３〜Ｓ５２５＞
アプリ５５０は、印刷開始操作に従って、印刷処理を開始し、装置間通信部５１９および通信路３５０を介して、印刷ジョブを本体３１０に送信する。本体３１０の画像形成部５０３は、受信した印刷ジョブに基づいて印刷動作を行う。
【０１６４】
以上のステップＳ５０１〜Ｓ５２５の流れによって、画像認証処理が実行中において半輝度で表示されたアプリアイコンが押下された場合の画像認証処理の実施中を示すエラー画面の表示処理が行われる。
【０１６５】
なお、図１５のシーケンス図では、画像認証処理の終了後、押下されていたアプリアイコンに対応するアプリが、利用者１０６による再操作がないまま自動で起動するものとしているが、これに限定されるものではない。すなわち、画像認証処理の終了後エラー画面の表示が解除され、かつ、ホーム画面で目的のアプリのアプリアイコンが通常輝度に切り替わり、利用者１０６によって起動可能であると判断された後、利用者１０６による当該アプリアイコンの再度の押下操作によって、当該アプリが起動するものとしてもよい。
【０１６６】
図１７は、画像認証失敗を示すエラー画面の表示処理の一例を示すシーケンス図である。図１８は、画像認証失敗を示すエラー画面の一例を示す図である。図１７および図１８を参照しながら、画像認証が失敗した場合にアプリアイコンが押下されたときに画像認証が失敗した旨を示すエラー画面を表示する表示処理について説明する。なお、表示部５２４に表示されるホーム画面にはアプリＡ、アプリＢおよびアプリＣのアプリアイコンがそれぞれ表示されるものとして説明する。
【０１６７】
＜ステップＳ６０１〜Ｓ６１１＞
ステップＳ６０１〜Ｓ６１１の各処理は、図１５に示したステップＳ５０１〜Ｓ５１１の各処理と同様である。
【０１６８】
＜ステップＳ６１２＞
画像認証部５１５は、画像認証処理において、画像認証を失敗したものとする。例えば、画像認証部５１５は、特徴情報抽出部５１４によって利用者１０６の顔画像が検出されない場合、または、特徴情報抽出部５１４により抽出された利用者１０６の顔画像の特徴情報が、利用者情報ａ５２０または利用者情報Ａ５０６に登録済みでない場合等に、画像認証を失敗したものとして扱う。
【０１６９】
＜ステップＳ６１３＞
画像認証部５１５は、画像認証に失敗した旨を含む認証結果を、アプリ起動管理部５２２に送る。
【０１７０】
＜ステップＳ６１４＞
次に、利用者１０６は、表示部５２４に表示されているアプリアイコンのうち半輝度に表示されている「アプリＣ」のアプリアイコンを押下操作したものとする。
【０１７１】
＜ステップＳ６１５＞
アプリ起動管理部５２２は、認証設定情報７００を参照し、押下操作された「アプリＣ」を起動するために許可が必要な認証が、無線認証および画像認証であることを特定する。アプリ起動管理部５２２は、押下操作された「アプリＣ」のアプリアイコンは半輝度に表示されたアイコンであるため、対応するアプリは起動不可であるものと判断し、かつ、画像認証処理が失敗したことを確認すると、例えば、図１８に示すような少なくとも画像認証処理が失敗した旨を示すエラー画面８５２（認証の状態を示す情報の一例）を表示する表示指令を、表示制御部５２３に送る。なお、図１８に示すエラー画面８５２では画像認証を「顔認証」と表現している。また、エラー画面８５２の「取消」ボタンを押下した場合、「アプリＣ」の起動を取り消すことができる。
【０１７２】
＜ステップＳ６１６＞
表示制御部５２３は、受け取った表示指令に従って、表示部５２４にエラー画面８５２を表示させる。このように、画像認証処理が失敗した旨を示すエラー画面を表示することによって、利用者１０６は押下操作したアプリアイコンに対応するアプリ（ここでは「アプリＣ」）が起動できない原因を把握することができ、再度、画像認証処理が行われるように、自らの顔をカメラ３４０に向ける等の措置をとることができる。
【０１７３】
以上のステップＳ６０１〜Ｓ６１６の流れによって、画像認証処理が失敗した状態において半輝度で表示されたアプリアイコンが押下された場合の画像認証処理が失敗した旨を示すエラー画面の表示処理が行われる。
【０１７４】
図１９は、画像認証を促すエラー画面の表示処理の一例を示すシーケンス図である。図２０は、画像認証を促すエラー画面の一例を示す図である。図１９および図２０を参照しながら、画像認証処理が行われていないことを示すエラー画面を表示する表示処理について説明する。なお、表示部５２４に表示されるホーム画面にはアプリＡ、アプリＢおよびアプリＣのアプリアイコンがそれぞれ表示されるものとして説明する。
【０１７５】
＜ステップＳ７０１〜Ｓ７０４＞
ステップＳ７０１〜Ｓ７０４の各処理は、図１５に示したステップＳ５０１〜Ｓ５０４の各処理と同様である。
【０１７６】
＜ステップＳ７０５＞
操作部３３０の無線通信部５１１は、利用者１０６が無線検知範囲２０２に入ると、無線タグ（ＲＦＩＤタグ１０５）から識別情報（無線タグＩＤ）を受信する。
【０１７７】
＜ステップＳ７０６＞
無線認証部５１２は、例えば、図１１に示すような無線認証処理を実行する。
【０１７８】
＜ステップＳ７０７＞
無線認証部５１２は、無線認証処理によりＲＦＩＤタグ１０５の認証を許可すると、無線認証処理の処理結果が「ＯＫ」であることを示す情報と、認証が許可されたＲＦＩＤタグ１０５の利用者を示す情報（例えば、図６に示す「利用者番号」等の利用者の識別情報）とを、認証部５１６に出力する。
【０１７９】
＜ステップＳ７０８＞
認証部５１６は、無線認証部５１２から無線認証処理の処理結果が「ＯＫ」であることを示す情報、および、利用者を示す情報を受け取ると、無線認証処理の処理結果が「ＯＫ」であることを示す情報をアプリ起動管理部５２２に送る。
【０１８０】
＜ステップＳ７０９＞
アプリ起動管理部５２２は、無線認証処理の処理結果が「ＯＫ」であることを示す情報を受け取り、かつ、画像認証処理が未だ実行されていないことを確認すると、記憶部５１８に記憶された認証設定情報７００を参照し、画像認証が許可されないと起動できないアプリを特定する。例えば、図８に示す認証設定情報７００の例では、画像認証が許可されないと起動できないアプリは「アプリＣ」および「アプリＸ」である。ただし、ここでは、アプリＡ〜Ｃのアプリアイコンのみを扱うものとしているので、アプリ起動管理部５２２は、画像認証が許可されないと起動できないアプリとして「アプリＣ」を特定する。
【０１８１】
また、アプリ起動管理部５２２は、無線認証の許可のみで起動可能なアプリも特定する。例えば、図８に示す認証設定情報７００の例では、無線認証の許可のみで起動可能なアプリは「アプリＡ」および「アプリＢ」である。ただし、実際には「アプリＡ」は無線認証の許可がなくても起動可能であるが、アプリ起動管理部５２２は、無線認証の許可のみで起動可能なアプリとして「アプリＡ」および「アプリＢ」を特定する。
【０１８２】
そして、アプリ起動管理部５２２は、画像認証処理が実行中であることにより「アプリＣ」は起動することができないため、「アプリＣ」に対応するアプリアイコンを半輝度（グレーアウト、不活性表示）のアイコンとして表示する表示指令を、表示制御部５２３に送る。また、アプリ起動管理部５２２は、無線認証が許可されたことにより「アプリＡ」および「アプリＢ」は起動可能であるため、「アプリＡ」および「アプリＢ」に対応するアプリアイコンをそれぞれ通常輝度のアイコンとして表示する表示指令を、表示制御部５２３に送る。
【０１８３】
＜ステップＳ７１０＞
表示制御部５２３は、受け取った表示指令に従って、表示部５２４に表示させているホーム画面の「アプリＣ」のアプリアイコンを半輝度に表示させ、「アプリＡ」および「アプリＢ」のアプリアイコンをそれぞれ通常輝度に表示させる（図９参照）。
【０１８４】
＜ステップＳ７１１＞
次に、未だ画像認証処理は実行されていない状態であり、利用者１０６は、表示部５２４に表示されているアプリアイコンのうち半輝度に表示されている「アプリＣ」のアプリアイコンを押下操作したものとする。
【０１８５】
＜ステップＳ７１２＞
アプリ起動管理部５２２は、認証設定情報７００を参照し、押下操作された「アプリＣ」を起動するために許可が必要な認証が、無線認証および画像認証であることを特定する。アプリ起動管理部５２２は、押下操作された「アプリＣ」のアプリアイコンは半輝度に表示されたアイコンであるため、「アプリＣ」は起動不可であるものと判断し、かつ、画像認証処理が未だ実行されていないことを確認すると、例えば、図２０に示すような少なくとも画像認証処理が行われていない旨を示すエラー画面８５３（認証の状態を示す情報の一例）を表示する表示指令を、表示制御部５２３に送る。なお、図２０に示すエラー画面８５３では画像認証を「顔認証」と表現している。また、エラー画面８５３の「確認」ボタンを押下した場合、エラー画面８５３の表示を解除することができる。
【０１８６】
＜ステップＳ７１３＞
表示制御部５２３は、受け取った表示指令に従って、表示部５２４にエラー画面８５３を表示させる。このように、画像認証処理が行われていない旨を示すエラー画面を表示することによって、利用者１０６は押下操作したアプリアイコンに対応するアプリ（ここでは「アプリＣ」）が起動できない原因を把握することができ、画像認証処理が実行されるように、自らの顔をカメラ３４０に向けた状態を維持する等の措置をとることができる。
【０１８７】
＜ステップＳ７１４＞
画像認証部５１５は、検知情報を受信し、特徴情報抽出部５１４によって撮像画像から顔画像の特徴情報が抽出されると、利用者１０６に対して、例えば、図１２に示すような画像認証処理（ここでは、具体的には、ステップＳ２０４〜Ｓ２０６）を開始する。
【０１８８】
＜ステップＳ７１５＞
画像認証部５１５は、画像認証処理により撮像画像に含まれる利用者１０６の認証を許可すると、画像認証処理の処理結果が「ＯＫ」であることを示す情報と、認証が許可された利用者を示す情報（例えば、図６に示す「利用者番号」等の利用者の識別情報）とを、認証部５１６に出力する。
【０１８９】
＜ステップＳ７１６＞
認証部５１６は、画像認証部５１５から画像認証処理の処理結果が「ＯＫ」であることを示す情報、および、利用者を示す情報を受け取ると、画像認証処理の処理結果が「ＯＫ」であることを示す情報をアプリ起動管理部５２２に送る。
【０１９０】
＜ステップＳ７１７＞
認証部５１６は、無線認証部５１２から出力された利用者の識別情報と、画像認証部５１５から出力された利用者の識別情報とが一致すると判断した場合、その利用者の画像形成装置１０１へのログインを許可する。
【０１９１】
＜ステップＳ７１８＞
アプリ起動管理部５２２は、画像認証処理の処理結果が「ＯＫ」であることを示す情報を受け取ると、ホーム画面で半輝度のアイコンとして表示されているアプリアイコン（ここでは、「アプリＣ」に対応するアプリアイコン）の半輝度状態を解除し、通常輝度のアイコンとして表示するための半輝度解除指令を、表示制御部５２３に送る。なお、この時点で、表示部５２４にエラー画面８５３が表示されたままとなっている場合、アプリ起動管理部５２２は、エラー画面８５３の表示を解除する解除指令を、表示制御部５２３に送るものとしてもよい。
【０１９２】
＜ステップＳ７１９＞
表示制御部５２３は、受け取った半輝度解除指令に従って、ホーム画面で半輝度のアイコンとして表示されているアプリアイコン（ここでは、「アプリＣ」に対応するアプリアイコン）の半輝度状態を解除し、通常輝度のアイコンとして表示する。
【０１９３】
＜ステップＳ７２０＞
利用者１０６は、表示部５２４に表示されているホーム画面において、半輝度状態であった「アプリＣ」のアプリアイコンが通常輝度の状態になったことを確認すると、当該アプリアイコンを押下操作する。
【０１９４】
＜ステップＳ７２１＞
アプリ起動管理部５２２は、認証設定情報７００を参照し、押下操作された「アプリＣ」を起動するために許可が必要な認証が、無線認証および画像認証であることを特定し、いずれの認証も許可されたことを確認すると、「アプリＣ」のアプリアイコンに対応するアプリ５５０に対して起動指令を送る。
【０１９５】
＜ステップＳ７２２＞
アプリ５５０は、起動指令に従って起動する。
【０１９６】
以上のステップＳ７０１〜Ｓ７２２の流れによって、画像認証処理が実行されていない状態において半輝度で表示されたアプリアイコンが押下された場合の画像認証処理が行われていない旨を示すエラー画面の表示処理が行われる。
【０１９７】
以上のように、認証設定情報（例えば、図８に示す認証設定情報７００）によって、アプリごとに機密度に応じて許可が必要な認証の種類を規定し、機密度がそれほど高くないアプリであれば、一部の認証（例えば、無線認証）が許可されれば当該アプリについては起動可能としている。これによって、時間のかかる特定の認証が完了していなくても一部のアプリについては使用可能として、アプリの利用性を向上させることができる。特に、画像認証を必要とせず、無線認証の許可だけで起動できるアプリは、無線認証よりも時間のかかる画像認証を行わずに無線認証の許可だけで起動できるので、アプリの起動までの待ち時間を短縮することができる。
【０１９８】
また、各認証の状態（例えば、許可、失敗、認証処理中、および、認証処理がまだ実行されていない等）によって、アプリの起動のためのホーム画面上でのアプリアイコンの表示態様を変化させるものとしている。例えば、そのアプリの起動のために必要な認証がすべて許可となっていない場合は、半輝度のアプリアイコンの表示状態とし、すべて許可となっている場合は、通常の輝度のアプリアイコンの表示状態としている。これによって、利用者は各アプリが起動可能であるのか起動不可であるのかを判断することができる。
【０１９９】
また、起動不可を示す半輝度の表示状態のアプリアイコンが押下操作された場合、許可が必要な認証の状態（例えば、当該認証が実施中、当該認証が失敗、および当該認証処理が実行されていない等）を示すエラー画面（認証の状態を示す情報の一例）を表示させるものとしている。これによって、利用者は押下操作したアプリアイコンに対応するアプリが起動できない原因を把握することができ、必要な認証処理が許可となるような措置をとることができる。
【０２００】
（実施形態の補足）
なお、上述の実施形態では、本体３１０および操作部３３０は、別々のオペレーティングシステムで、互いに独立して動作しているが、これに限定されるものではなく、例えば、本体３１０と操作部３３０とは、同じオペレーティングシステムで動作する形態であってもよい。
【０２０１】
また、上述の実施形態において、画像形成装置１０１の各機能部の少なくともいずれかがプログラムの実行によって実現される場合、そのプログラムは、ＲＯＭ等に予め組み込まれて提供される。また、上述の実施形態に係る画像形成装置１０１で実行されるプログラムは、インストール可能な形式または実行可能な形式のファイルでＣＤ−ＲＯＭ（Ｃｏｍｐａｃｔ  Ｄｉｓｃ  Ｒｅａｄ  Ｏｎｌｙ  Ｍｅｍｏｒｙ）、フレキシブルディスク（ＦＤ）、ＣＤ−Ｒ（Ｃｏｍｐａｃｔ  Ｄｉｓｋ−Ｒｅｃｏｒｄａｂｌｅ）、またはＤＶＤ（Ｄｉｇｉｔａｌ  Ｖｅｒｓａｔｉｌｅ  Ｄｉｓｃ）等のコンピュータで読み取り可能な記録媒体に記録して提供するように構成してもよい。また、上述の実施形態の画像形成装置１０１で実行されるプログラムを、インターネット等のネットワークに接続されたコンピュータ上に格納し、ネットワーク経由でダウンロードさせることにより提供するように構成してもよい。また、上述の実施形態の画像形成装置１０１で実行されるプログラムを、インターネット等のネットワーク経由で提供または配布するように構成してもよい。また、上述の実施形態の画像形成装置１０１で実行されるプログラムは、上述した各機能部のうち少なくともいずれかを含むモジュール構成となっており、実際のハードウェアとしてはＣＰＵ３１１またはＣＰＵ３３１が上述の記憶装置（例えば、ＲＯＭ３１２、ＲＯＭ３３２、ストレージ３１４、フラッシュメモリ３３４等）からプログラムを読み出して実行することにより、上述の各機能部が主記憶装置（例えば、ＲＡＭ３１３、ＲＡＭ３３３等）上にロードされて生成されるようになっている。
【符号の説明】
【０２０２】
１００  情報処理システム
１０１  画像形成装置
１０２  カメラ
１０３  ＲＦＩＤタグリーダ
１０４  人体検知センサ
１０５  ＲＦＩＤタグ
１０６  利用者
２０１  センサ検知範囲
２０２  無線検知範囲
２０３  画像認証範囲
３１０  本体
３１１  ＣＰＵ
３１２  ＲＯＭ
３１３  ＲＡＭ
３１４  ストレージ
３１５  通信Ｉ／Ｆ
３１６  接続Ｉ／Ｆ
３１７  エンジン部
３１８  人体検知センサ
３１９  システムバス
３３０  操作部
３３１  ＣＰＵ
３３２  ＲＯＭ
３３３  ＲＡＭ
３３４  フラッシュメモリ
３３５  通信Ｉ／Ｆ
３３６  操作パネル
３３７  接続Ｉ／Ｆ
３３８  外部接続Ｉ／Ｆ
３３９  近距離無線通信機
３４０  カメラ
３４１  システムバス
３５０  通信路
３６０  ネットワーク
４１１  アプリ層
４１２  サービス層
４１３  ＯＳ層
４３１  アプリ層
４３２  サービス層
４３３  ＯＳ層
５０１  人体検知部
５０２  電力状態制御部
５０３  画像形成部
５０４  記憶部
５０５  装置間通信部
５０６  利用者情報Ａ
５０７  外部通信部
５１１  無線通信部
５１２  無線認証部
５１３  撮像部
５１４  特徴情報抽出部
５１５  画像認証部
５１６  認証部
５１７  利用者情報管理部
５１８  記憶部
５１９  装置間通信部
５２０  利用者情報ａ
５２１  外部通信部
５２２  アプリ起動管理部
５２３  表示制御部
５２４  表示部
５５０  アプリ
６０１、６０２  利用者情報
７００  認証設定情報
８０１、８０２  ホーム画面
８５１〜８５３  エラー画面
９０１〜９０３  アプリアイコン
１００１  撮像画像
１００２  利用者
１００３  顔画像
１００４  輪郭
１００５  目
１００６  鼻
【先行技術文献】
【特許文献】
【０２０３】
【特許文献１】特開２０１５−１２７８９３号公報
【図１】
2018205958.tif 000003
【図２】
2018205958.tif 000004
【図３】
2018205958.tif 000005
【図４】
2018205958.tif 000006
【図５】
2018205958.tif 000007
【図６】
2018205958.tif 000008
【図７】
2018205958.tif 000009
【図８】
2018205958.tif 000010
【図９】
2018205958.tif 000011
【図１０】
2018205958.tif 000012
【図１１】
2018205958.tif 000013
【図１２】
2018205958.tif 000014
【図１３】
2018205958.tif 000015
【図１４】
2018205958.tif 000016
【図１５】
2018205958.tif 000017
【図１６】
2018205958.tif 000018
【図１７】
2018205958.tif 000019
【図１８】
2018205958.tif 000020
【図１９】
2018205958.tif 000021
【図２０】
2018205958.tif 000022